(57)【要約】無線リソースを管理するためのネットワークノードにおける方法。ネットワークノードはワイヤレス無線ネットワークに含まれる。移動局は、ワイヤレス無線ネットワークにおいて動作するよう構成される。移動局は、同時受信のための最大帯域幅とキャリヤとを含む第１のキャリヤリストを持つ。キャリヤは移動局に割り付けられた無線キャリヤである。最大帯域幅は第１のキャリヤリストのすべてのキャリヤを包含することができない。ネットワークノードは１つ以上のキャリヤを第１のキャリヤリストから削除する。１つ以上のキャリヤの削除は、削除後のすべて残存キャリヤを最大帯域幅が含むことができるまで、１キャリヤずつ実行される。１つ以上の削除されるキャリヤは優先度リストによれば最低優先度を持つ。残存キャリヤは、移動局のための受信キャリヤを含む。
2015534739.tif 000002
【特許請求の範囲】
【請求項１】
無線リソースを管理するためのネットワークノード（１１０）における方法であって、前記ネットワークノード（１１０）はワイヤレス無線ネットワーク（１００）に含まれ、前記ワイヤレス無線ネットワーク（１００）において動作するように構成された移動局（１６０）は、同時受信のための最大帯域幅とキャリヤを含む第１のキャリヤリストとを有し、前記キャリヤは、前記移動局（１６０）に割り付けられた無線キャリヤであり、前記最大帯域幅は前記第１のキャリヤリスト中のすべてのキャリヤを包含することができず、
前記方法は、
前記第１のキャリヤリストから１つ以上のキャリヤを削除する工程（２０５）を含み、
前記１つ以上のキャリヤの削除は、前記削除する工程（２０５）の後の前記第１のキャリヤリスト中のすべての残存キャリヤを前記最大帯域幅が包含することができるまで、１キャリヤずつ実行され、削除される前記１つ以上のキャリヤは、優先度リストによれば最低優先度を有しており、
前記残存キャリヤは、前記移動局（１６０）のための受信キャリヤを含む
ことを特徴とする方法。
【請求項２】
前記移動局（１６０）の前記最大帯域幅が前記第１のキャリヤリスト中のすべてのキャリヤを包含することができないことを計算する工程（２０４）を更に有し、
前記第１のキャリヤリストから１つ以上のキャリヤを削除する前記工程（２０５）は更に、
前記第１のキャリヤリストから、前記優先度リストに応じて最低優先度を有する１つのキャリヤを削除する工程であって、前記１つのキャリヤを削除する工程により、前記最低優先度を有するキャリヤの削除後のすべての残存キャリヤを含む減縮済みキャリヤリストが得られる工程と、
前記移動局（１６０）の前記最大帯域幅が前記減縮済みキャリヤリスト中のすべての前記残存キャリヤを包含することができるかどうかを計算する工程とを含み、
前記移動局（１６０）の前記最大帯域幅が前記減縮済みキャリヤリスト中のすべての前記残存キャリヤを包含することができない場合、前記第１のキャリヤリストから１つ以上のキャリヤを削除する工程（２０５）はさらに、前記減縮済みキャリヤリストから最低優先度を有する１つ以上の更なるキャリヤを、前記１つ以上の更なるキャリヤの削除後のすべての残存キャリヤを前記最大帯域幅が包含することができることを前記ネットワークノード（１１０）が計算するまで、１つずつ削除する工程を更に有することを特徴とする請求項１に記載の方法。
【請求項３】
前記１つ以上のキャリヤを削除する工程（２０５）の後のすべての前記残存キャリヤを前記最大帯域幅が包含することができる場合、前記１つ以上のキャリヤを削除する工程（２０５）の後のすべての前記残存キャリヤが前記移動局のための受信キャリヤを含むと判定する判定工程を更に有することを特徴とする請求項１または２に記載の方法。
【請求項４】
前記ネットワークノード（１１０）が、基地局（１２０）、基地局コントローラ（１４０）およびコアネットワークノード（１５０）の１つであることを特徴とする請求項１乃至３のいずれか一項に記載の方法。
【請求項５】
前記移動局（１６０）へのリソース割り付けの処理において前記第１のキャリヤリスト中のキャリヤに優先度を付ける工程（２０２）であって、前記優先度を付ける工程は１つ以上の量に基づいており、前記優先度を付ける工程により前記優先度リストを含む決定が得られる工程を更に有することを特徴とする請求項４に記載の方法。
【請求項６】
前記移動局（１６０）から、同時受信のための前記移動局（１６０）がサポートする前記最大帯域幅を受信する工程（２０１）を更に有することを特徴とする請求項４又は５に記載の方法。
【請求項７】
前記優先度リストを前記移動局（１６０）に暗黙にまたは明示的に信号伝達する工程（２０３）を更に有することを特徴とする請求項４乃至６のいずれか一項に記載の方法。
【請求項８】
前記１つ以上の量は、優先度を付けるキャリヤの明示的なリスト、モバイルアロケーションインデックスオフセット（ＭＡＩＯ）、割り当て、絶対無線周波数チャネル番号（ＡＲＦＣＮ）、および割り付け順序のひとつを含むことを特徴とする請求項５乃至７のいずれか一項に記載の方法。
【請求項９】
前記移動局（１６０）に割り付けられた前記キャリヤは、１つの無線ブロック期間内の複数のバーストに割り付けられ、前記複数のバーストは第１のバーストと１つ以上の追加のバーストとを含み、前記計算する工程、前記削除する工程、および前記判定する工程は、前記第１のバーストのために実行され、その後、前記１つ以上の追加のバーストのそれぞれのために実行され、前記計算する工程、前記削除する工程、および前記判定する工程が前記複数のバースト内のすべてのバーストのために実行された後に、続きが実行されることを特徴とする請求項３乃至８のいずれか一項に記載の方法。
【請求項１０】
無線リソースを管理するための移動局（１６０）における方法であって、前記移動局（１６０）はワイヤレス無線ネットワーク（１００）内で動作するよう構成され、前記移動局（１６０）は、同時受信のための最大帯域幅とキャリヤを含む第１のキャリヤリストとを有し、前記キャリヤは、前記移動局（１６０）に割り当てられた無線キャリヤであり、前記最大帯域幅は前記第１のキャリヤリスト中のすべてのキャリヤを包含することができず、
前記方法は、
前記第１のキャリヤリストから１つ以上のキャリヤを削除する工程（５０４）であって、前記１つ以上のキャリヤの削除は、前記最大帯域幅が、前記削除する工程（５０４）の後の前記第１のキャリヤリスト中のすべての残存キャリヤを包含することができるまで、１キャリヤずつ実行され、削除される前記１つ以上のキャリヤは、優先度リストによれば最低優先度を有しており、前記残存キャリヤは、前記移動局（１６０）のための受信キャリヤを含むところの工程と、
判定された前記キャリヤ上での無線受信を続行する工程（５０７）と
を含むことを特徴とする方法。
【請求項１１】
前記移動局（１６０）の前記最大帯域幅が前記第１のキャリヤリスト中のすべてのキャリヤを包含することができないことを計算する工程（５０３）を更に有し、
前記第１のキャリヤリストから１つ以上のキャリヤを削除する前記工程（５０４）は更に、
前記第１のキャリヤリストから、前記優先度リストに応じて最低優先度を有する１つのキャリヤを削除する工程であって、前記１つのキャリヤを削除する工程により、前記最低優先度を有するキャリヤの削除後のすべての残存キャリヤを含む減縮済みキャリヤリストが得られる工程と、
前記移動局（１６０）の前記最大帯域幅が前記減縮済みキャリヤリスト中のすべての前記残存キャリヤを包含することができるかどうかを計算する工程とを含み、
前記移動局（１６０）の前記最大帯域幅が前記減縮済みキャリヤリスト中のすべての前記残存キャリヤを包含することができない場合、前記第１のキャリヤリストから１つ以上のキャリヤを削除する工程（５０４）はさらに、前記減縮済みキャリヤリストから最低優先度を有する１つ以上の更なるキャリヤを、前記１つ以上の更なるキャリヤの削除後のすべての残存キャリヤを前記最大帯域幅が包含することができることを前記ネットワークノード（１１０）が計算するまで、１つずつ削除する工程を更に有することを特徴とする請求項１０に記載の方法。
【請求項１２】
前記削除されたキャリヤに関連付けられた１つ以上のタイムスロット上での無線受信を無効にする工程（５０５）を更に有することを特徴とする請求項１０または１１に記載の方法。
【請求項１３】
前記１つ以上のキャリヤを削除する工程（５０４）の後のすべての前記残存キャリヤを前記最大帯域幅が包含することができる場合、前記１つ以上のキャリヤを削除する工程（５０４）の後のすべての前記残存キャリヤが前記移動局のための受信キャリヤを含むと判定する工程（５０６）を更に有することを特徴とする請求項１０乃至１２のいずれか一項に記載の方法。
【請求項１４】
前記ワイヤレス無線ネットワーク（１００）に含まれたネットワークノード（１１０）からキャリヤの優先度リストを暗黙に又は明示的に取得する工程（５０２）を更に有し、
前記ネットワークノード（１１０）は、基地局（１２０）、基地局コントローラ（１４０）、およびコアネットワークノード（１５０）のひとつであり、前記キャリヤリスト中のキャリヤは、前記移動局（１６０）へのリソース割り付けの処理において前記ネットワークノード（１１０）により優先度を付けられ、前記優先度を付けることは、優先度付けするキャリヤを持つ明示的なリスト、モバイルアロケーションインデックスオフセット（ＭＡＩＯ）、割り当て、絶対無線周波数チャネル番号（ＡＲＦＣＮ）およびキャリヤ割り付け順序のうちのひとつを含む１つ以上の量に基づいていることを特徴とする請求項１０乃至１３のいずれか一項に記載の方法。
【請求項１５】
同時受信のための前記移動局（１６０）によりサポートされた前記最大帯域幅を前記ネットワークノード（１１０）に送信する工程（５０１）を更に有することを特徴とする請求項１０乃至１４のいずれか一項に記載の方法。
【請求項１６】
前記移動局（１６０）に割り付けられた前記キャリヤは、１つの無線ブロック期間内の複数のバーストに割り付けられ、前記複数のバーストは第１のバーストと１つ以上の追加のバーストとを含み、前記計算する工程、前記削除する工程、および前記判定する工程は、前記第１のバーストのために実行され、その後、前記１つ以上の追加のバーストのそれぞれのために実行され、前記計算する工程、前記削除する工程、および前記判定する工程が前記複数のバースト内のすべてのバーストのために実行された後に、続きが実行されることを特徴とする請求項１３乃至１５のいずれか一項に記載の方法。
【請求項１７】
無線リソースを管理するためのネットワークノード（１１０）であって、前記ネットワークノード（１１０）はワイヤレス無線ネットワーク（１００）に含まれるよう構成され、前記ワイヤレス無線ネットワーク（１００）において動作するように構成された移動局（１６０）は、同時受信のための最大帯域幅とキャリヤを含む第１のキャリヤリストとを有し、前記キャリヤは、前記移動局（１６０）に割り付けられた無線キャリヤであり、前記最大帯域幅は前記第１のキャリヤリスト中のすべてのキャリヤを包含することができず、
前記ネットワークノード（１１０）は、
前記第１のキャリヤリストから１つ以上のキャリヤを削除するよう構成された削除回路  （７０１）を含み、
前記１つ以上のキャリヤを削除することは、前記削除の後の前記第１のすべての残存キャリヤを前記最大帯域幅が包含することができるまで、１キャリヤずつ実行され、削除される前記１つ以上のキャリヤは、優先度リストによれば最低優先度を有しており、
前記残存キャリヤは、前記移動局（１６０）のための受信キャリヤを含む
ことを特徴とするネットワークノード（１１０）。
【請求項１８】
前記移動局（１６０）の前記最大帯域幅が前記第１のキャリヤリスト中のすべてのキャリヤを包含することができないことを計算するよう構成された計算回路（７０３）を更に有し、
前記削除回路（７０１）における前記第１のキャリヤリストから１つ以上のキャリヤを削除することは、
前記第１のキャリヤリストから、前記優先度リストによれば最低優先度を有する１つのキャリヤを削除することであって、前記１つのキャリヤを削除することは、前記最低優先度を有するキャリヤの削除後のすべての残存キャリヤを含む減縮済みキャリヤリストが得られるよう構成されたことと、
前記移動局（１６０）の前記最大帯域幅が前記減縮済みキャリヤリスト中のすべての前記残存キャリヤを包含することができるかどうかを計算することとを更に含み、
前記移動局（１６０）の前記最大帯域幅が前記減縮済みキャリヤリスト中のすべての前記残存キャリヤを包含することができない場合、前記第１のキャリヤリストから１つ以上のキャリヤを削除することはさらに、前記減縮済みキャリヤリストから最低優先度を有する１つ以上の更なるキャリヤを、前記１つ以上の更なるキャリヤの削除後のすべての残存キャリヤを前記最大帯域幅が包含することができることを前記ネットワークノード（１１０）が計算するまで、１つずつ削除することを更に含むことを特徴とする請求項１７に記載のネットワークノード（１１０）。
【請求項１９】
前記１つ以上のキャリヤの削除の後のすべての前記残存キャリヤを前記最大帯域幅が包含することができる場合、前記１つ以上のキャリヤの削除の後のすべての前記残存キャリヤが前記移動局のための受信キャリヤを含むと判定するよう構成された判定回路（７０４）を更に有することを特徴とする請求項１７または１８に記載のネットワークノード（１１０）。
【請求項２０】
前記ネットワークノード（１１０）が、基地局（１２０）、基地局コントローラ（１４０）およびコアネットワークノード（１５０）の１つであることを特徴とする請求項１７乃至１９のいずれか一項に記載のネットワークノード（１１０）。
【請求項２１】
前記移動局（１６０）へのリソース割り付けの処理において前記第１のキャリヤリスト中のキャリヤに優先度を付けるよう構成された優先度付け回路（７０２）であって、前記優先度を付けることは１つ以上の量に基づいており、前記優先度を付けることにより前記優先度リストを含む決定が得られる回路を更に有することを特徴とする請求項２０に記載のネットワークノード（１１０）。
【請求項２２】
前記移動局（１６０）から、同時受信のための前記移動局（１６０）がサポートする前記最大帯域幅を受信するよう構成された受信回路（７０５）を更に有することを特徴とする請求項２０又は２１に記載のネットワークノード（１１０）。
【請求項２３】
前記優先度リストを前記移動局（１６０）に暗黙にまたは明示的に信号伝達するよう構成された信号伝達回路（７０６）を更に有することを特徴とする請求項２０乃至２２のいずれか一項に記載のネットワークノード（１１０）。
【請求項２４】
前記１つ以上の量は、優先度を付けるキャリヤの明示的なリスト、モバイルアロケーションインデックスオフセット（ＭＡＩＯ）、割り当て、絶対無線周波数チャネル番号（ＡＲＦＣＮ）、および割り付け順序のひとつを含むことを特徴とする請求項２０乃至２３のいずれか一項に記載のネットワークノード（１１０）。
【請求項２５】
前記移動局（１６０）に割り付けられた前記キャリヤは、１つの無線ブロック期間内の複数のバーストに割り付けられ、前記複数のバーストは第１のバーストと１つ以上の追加のバーストとを含み、前記計算すること、前記削除すること、および前記判定することは、前記第１のバーストのために実行され、その後、前記１つ以上の追加のバーストのそれぞれのために実行され、前記計算すること、前記削除すること、および前記判定することが前記複数のバースト内のすべてのバーストのために実行された後に、続きが実行されることを特徴とする請求項１９乃至２４のいずれか一項に記載のネットワークノード（１１０）。
【請求項２６】
無線リソースを管理するための移動局（１６０）であって、前記移動局（１６０）はワイヤレス無線ネットワーク（１００）内で動作するよう構成され、前記移動局（１６０）は、同時受信のための最大帯域幅とキャリヤを含む第１のキャリヤリストとを有し、前記キャリヤは、前記移動局（１６０）に割り当てられた無線キャリヤであり、前記最大帯域幅は前記第１のキャリヤリスト中のすべてのキャリヤを包含することができず、
前記移動局（１６０）は、
前記第１のキャリヤリストから１つ以上のキャリヤを削除するよう構成された削除回路（８０１）であって、前記１つ以上のキャリヤを削除することは、前記削除の後の前記第１のキャリヤリスト中のすべての残存キャリヤを前記最大帯域幅が包含することができるまで、１キャリヤずつ実行され、削除される前記１つ以上のキャリヤは、優先度リストによれば最低優先度を有しており、前記残存キャリヤは、前記移動局（１６０）のための受信キャリヤを含むところの回路と、
判定された前記キャリヤ上での無線受信を続行するよう構成された受信回路（８０２）と
を含むことを特徴とする移動局（１６０）。
【請求項２７】
前記移動局（１６０）の前記最大帯域幅が前記第１のキャリヤリスト中のすべてのキャリヤを包含することができないことを計算するよう構成された計算回路（８０３）を更に有し、
前記削除回路（８０１）において、前記第１のキャリヤリストから１つ以上のキャリヤを削除することは更に、
前記第１のキャリヤリストから、前記優先度リストに応じて最低優先度を有する１つのキャリヤを削除することであって、前記１つのキャリヤを削除することにより、前記最低優先度を有するキャリヤの削除後のすべての残存キャリヤを含む減縮済みキャリヤリストが得られることと、
前記移動局（１６０）の前記最大帯域幅が前記減縮済みキャリヤリスト中のすべての前記残存キャリヤを包含することができるかどうかを計算することとを含み、
前記移動局（１６０）の前記最大帯域幅が前記減縮済みキャリヤリスト中のすべての前記残存キャリヤを包含することができない場合、前記第１のキャリヤリストから１つ以上のキャリヤを削除することはさらに、前記減縮済みキャリヤリストから最低優先度を有する１つ以上の更なるキャリヤを、前記１つ以上の更なるキャリヤの削除後のすべての残存キャリヤを前記最大帯域幅が包含することができることを前記ネットワークノード（１１０）が計算するまで、１つずつ削除することを更に含むことを特徴とする請求項２６に記載の移動局（１６０）。
【請求項２８】
前記削除されたキャリヤに関連付けられた１つ以上のタイムスロット上での無線受信を無効にする無効化回路（８０４）を更に有することを特徴とする請求項２６または２７に記載の移動局（１６０）。
【請求項２９】
前記１つ以上のキャリヤの削除の後のすべての前記残存キャリヤを前記最大帯域幅が包含することができる場合、前記１つ以上のキャリヤの削除の後のすべての前記残存キャリヤが前記移動局のための受信キャリヤを含むと判定するよう構成された判定回路（８０５）を更に有することを特徴とする請求項２６乃至２８のいずれか一項に記載の移動局（１６０）。
【請求項３０】
前記ワイヤレス無線ネットワーク（１００）に含まれたネットワークノード（１１０）からキャリヤの優先度リストを暗黙に又は明示的に取得するよう構成された取得回路（８０６）を更に有し、
前記ネットワークノード（１１０）は、基地局（１２０）、基地局コントローラ（１４０）、およびコアネットワークノード（１５０）のひとつであり、前記キャリヤリスト中のキャリヤは、前記移動局（１６０）へのリソース割り付けの処理において前記ネットワークノード（１１０）により優先度を付けられ、前記優先度を付けることは、優先度付けするキャリヤを持つ明示的なリスト、モバイルアロケーションインデックスオフセット（ＭＡＩＯ）、割り当て、絶対無線周波数チャネル番号（ＡＲＦＣＮ）およびキャリヤ割り付け順序のうちのひとつを含む１つ以上の量に基づいていることを特徴とする請求項２６乃至２９のいずれか一項に記載の移動局（１６０）。
【請求項３１】
同時受信のための前記移動局（１６０）によりサポートされた前記最大帯域幅を前記ネットワークノード（１１０）に送信するよう構成された送信回路（８０７）を更に有することを特徴とする請求項２６乃至３０のいずれか一項に記載の移動局（１６０）。
【請求項３２】
前記移動局（１６０）に割り付けられた前記キャリヤは、１つの無線ブロック期間内の複数のバーストに割り付けられ、前記複数のバーストは第１のバーストと１つ以上の追加のバーストとを含み、前記計算すること、前記削除すること、および前記判定することは、前記第１のバーストのために実行され、その後、前記１つ以上の追加のバーストのそれぞれのために実行され、前記計算すること、前記削除すること、および前記判定することが前記複数のバースト内のすべてのバーストのために実行された後に、続きが実行されることを特徴とする請求項２９乃至３１のいずれか一項に記載の移動局（１６０）。
【発明の詳細な説明】
【技術分野】
【０００１】
この開示は、１つの移動局が同時に受信する最大帯域幅が、当該移動局に割り当てられたすべての無線キャリヤを包含することができない場合の無線リソースを管理するための、ネットワークノードにおける方法に関する。
【背景技術】
【０００２】
端末などの通信装置は、例えばユーザ装置（ＵＥ）、モバイル端末、ワイヤレス端末、および移動局（ＭＳ）またはそれらの少なくとも何れかとしても知られている。端末は、しばしばセルラ無線システムまたはセルラネットワークとも称されるセルラ通信ネットワークまたは無線通信システムの中で無線で通信することが可能とされる。通信は、セルラ通信ネットワークの中に含まれている無線アクセスネットワーク（ＲＡＮ）及び場合によっては１つ以上のコアネットワーク経由で、例えば２つの端末の間、端末と通常の電話の間、および端末とサーバの間、またはそのいずれかで実行することができる。
【０００３】
端末はさらに、単にいくつかの例に言及すると、移動電話、携帯電話、無線機能を有するラップトップ、またはタブレットと称されることもある。現在のコンテキストの中の端末は、例えば、別の端末またはサーバなどの別のエンティティとＲＡＮ経由で音声およびデータまたはそのいずれかの通信が可能なポータブル機器、ポケット収納可能機器、ハンドヘルド機器、コンピュータ内蔵機器、または車両搭載移動機器であってもよい。
【０００４】
セルラ通信ネットワークは、セルエリアに分割される地理上の区域をカバーし、各セルエリアは、基地局たとえば、しばしば例えば"ｅＮＢ"、"ｅノードＢ"、"ノードＢ""Ｂノード"またはＢＴＳ（ベーストランシーバステーション）と、用いられる技術および用語に応じて称される無線基地局（ＲＢＳ）などのアクセスノードによってサービスされる。基地局は、送信電力およびそれによりセルサイズにも基づき、例えばマクロｅノードＢ、ホームｅノードＢ、またはピコ基地局などの異なるクラスのものであってもよい。セルは、基地局サイトで基地局によって提供される無線カバレージの地理上のエリアである。基地局サイトに位置させられた１つの基地局が１またはいくつかのセルにサービスしてもよい。さらに、各基地局は１またはいくつかの通信技術をサポートしてもよい。基地局は、基地局の範囲内の端末と、無線周波数で動作するエアインタフェース上で通信する。ここで開示するコンテキストの中で、語句ダウンリンク（ＤＬ）は基地局から移動局への伝送路のために使われる。語句アップリンク（ＵＬ）は、逆方向すなわち移動局からの基地局への伝送路のために使われる。
【０００５】
デュアルキャリヤダウンリンク（ＤＣＤＬ）は、3GPP Global System for Mobile communications (GSM) Enhanced Data rate for GSM Evolution (EDGE) Radio Access Network (GERAN) Rel-7の中で、3GPP TR45.912における実現可能性検討"Feasibility study for evolved GSM/EDGE Radio Access Network (GERAN)"において研究されたＧＥＲＡＮエボリューションと呼ばれる機能のセットのひとつとして明記された。この機能は、ダウンリンク上で同じ移動局レシーバに対して送信される２つの並列なキャリヤを導入する。
【０００６】
ＤＣＤＬの仕様画定作業は、主に、シングルキャリヤ送信を、並列に送信される２つの別個のキャリヤへと単純に拡張することによってプロトコル面に集中していた。従って、どのような無線周波数（ＲＦ）関連の要件も修正されなかった。これにより、事実上、２つの並列の受信チェインも端末に実装する必要があり、端末のアナログ部品に追加要件を加え、端末コストを増大させる。
【０００７】
しかし、Telefon AB LM Ericsson, ST-Ericsson SA、GERAN#55を出典とするGP-120691"Downlink Multi-carrier for GERAN"における提案などのマルチキャリヤＤＬ提案は、他の広帯域技術から使用可能なものに基づいてより広いキャリヤ選択フィルタを利用させ、並列のキャリヤの受信のために別個の部品を不要にしている。より広いキャリヤ選択フィルタによって、費用効率が高い実装を可能とするために現在のＲＦ要件を緩めるニーズがある。
【０００８】
ネットワークにどのようにマルチキャリヤ能力を信号で伝えるか、そしてまた、ある時点においてどのキャリヤを受信するかについての移動局とネットワークとの間の共通の理解を得るために規則のセットをどのように指定できるかについての解決法は以前から知られている。これは、最大のキャリヤセパレーションがキャリヤ選択フィルタより大きい場合に、帯域の効率的な利用のために重要である。
【０００９】
他の解決法は優先度を付けられたキャリヤに基づく。
【００１０】
これらの解決法は、良い意味で制限された移動局の受信帯域幅（ＢＷ）を利用する方法を検討している。一般化された問題そのものはきわめて困難になることがあり、同等の結果のために受入れ可能である次善の仕事をするであろう多くの簡素化した方法を考えることができる。
【００１１】
しかし、最近のより重要な考察の１つは、移動局の計算の複雑性を制限することである。従って、性能の観点から十分によいけれども移動局の計算複雑性が非常に小さい解決法は特に有益であろう。
【００１２】
ＧＳＭ  ＤＬマルチキャリヤ機能によって、移動局はいくつかのキャリヤ周波数上で同時にデータを受信できる（例えばGP-120691、"Downlink Multi-carrier for GERAN", Telefon AB LM Ericsson, ST-Ericsson SA. GERAN#55を参照）。しかし、この機能は端末側の広帯域レシーバに基づき、それゆえ、これが可能な所で移動局の帯域幅は制限されるであろう。従って、所与のＧＳＭセルコンフィギュレーションを受信するために搬送周波数がどれであるかを選ぶための方法が必要である。この問題はすでに対処されているけれども、既知の方法は、多数の受信キャリヤを保証しないであろうが、その一方で同時に小さい計算の複雑性を達成する。最適の選択を、キャリヤの最大値の受信を達成すると決定して、すべての可能なキャリヤの組み合わせを探索して最大のキャリヤ数の受信を達成する最適の選択を決定する力任せの方法はきわめてきびしくなることがあり、ネットワークまたは移動局の実装のどちらかにおいて望ましくないことがあり得る。
【００１３】
ＧＳＭにおける周波数ホッピング
ＧＳＭ／ＥＤＧＥにおいて割り当てられた特定のキャリヤのために使う無線リソースは、モバイルアロケーション（Ｍｏｂｉｌｅ  Ａｌｌｏｃａｔｉｏｎ：ＭＡ）、モバイルアロケーションインデックスオフセット（Ｍｏｂｉｌｅ  Ａｌｌｏｃａｔｉｏｎ  Ｉｎｄｅｘ  Ｏｆｆｓｅｔ：ＭＡＩＯ）、およびホッピング割り当てのためのホッピングシーケンス番号（Ｈｏｐｐｉｎｇ  Ｓｅｑｕｅｎｃｅ  Ｎｕｍｂｅｒ：ＨＳＮ）と、非ホッピングチャネルのための絶対周波数無線チャネル番号（Ａｂｓｏｌｕｔｅ  Ｆｒｅｑｕｅｎｃｙ  Ｒａｄｉｏ  Ｃｈａｎｎｅｌ  Ｎｕｍｂｅｒ：ＡＲＦＣＮ）によって決定される。
【００１４】
以下は、３ＧＰＰ  ＴＳ  ４５．００２において概説された詳細な手順中の語による簡潔な説明である（3GPP TS 45.002の、例えばバージョン１０．３．０、"Multiplexing and multiple access on the radio path"、セクション６．２を参照）。
【００１５】
ＭＡは、移動局が、その割当て内でホップすべきであるＡＲＦＣＮのリストを含んでおり、ＨＳＮは、使用する擬似ランダムの、事前決定されたホッピングシーケンスを含んでいる。このホッピングシーケンスは同じＨＳＮを割り当てられたすべての接続によって使われるであろう。割り当てられたチャンネルの間の直交性を保証するために、各チャンネルはＭＡＩＯ（モバイルアロケーションインデックスオフセット）と呼ばれる、割り当てられたホッピングシーケンスに固有のオフセットを割り当てられる。或る時分割多元接続（ＴＤＭＡ）フレームの中で使うＡＲＦＣＮは次によって決定される：
ｍｏｄ  （ＨＳＮ（ＦＮ）＋ＭＡＩＯ，Ｎ）
ここで、ＮはＭＡにおけるＡＲＦＣＮの数であり、ＦＮはフレーム番号である。
【００１６】
GP-120691, "Downlink Multi-carrier for GERAN", Telefon AB LM Ericsson, ST-Ericsson SA. GERAN#55に概説されたマルチキャリヤ提案は、上記の説明された機能性を変更しないけれども、複数のキャリヤに適用するために概念を拡張している。すなわち、マルチキャリヤモードに割り当てられた移動局は、個々のフレームにおいて、割り当てられたキャリヤの数と同じ数の異なるＡＲＦＣＮを受信する可能性がある。この機能の最も直接的かつ、ありそうな実装は、全てのキャリヤについて同じＨＳＮを用いるが、異なるＭＡＩＯ値を割り当てることである。
【００１７】
また、シングルキャリヤ割り当てに比べて、受信した１つの無線ブロックのバースト間の結合があるであろう。すなわち、基本の送信フォーマット（無線ブロック）が、しばしば異なるＡＲＦＣＮ上で４つのバーストで送信されるため、データブロック全体を受信可能とするために４つのバースト全てにおいて同じキャリヤを受信する必要がある。すなわち、断片的な無線ブロックの受信を避けるためである。断片的な無線ブロックが受信されるならば、無線ブロックによって搬送されたペイロードをデコードする可能性は、使われたチャネル符号化に依存する可能性がある。この依存性は、完全な無線ブロックのみが受信されるならば避けられ得る。
【発明の概要】
【００１８】
従って、ここにおける実施形態の目的は、小さな計算の複雑性で、ワイヤレス無線ネットワークにおける無線リソースの管理を改善する方法を提供することである。
【００１９】
この実施形態の第１の面によると、この目的は、ネットワークノードにおける無線リソースを管理するための方法によって達成される。ネットワークノードはワイヤレス無線ネットワークに含まれる。移動局は、ワイヤレス無線ネットワークの中で動作するように構成される。移動局は、同時受信のための最大帯域幅と、キャリヤを含む第１のキャリヤリストとを持っている。このキャリヤは移動局に割り当てられた無線キャリヤである。最大帯域幅は、第１のキャリヤリスト内のすべてのキャリヤを包含することはできない。ネットワークノードは１つ以上のキャリヤを第１のキャリヤリストから削除する。１つ以上のキャリヤの削除は、削除後に残るすべてのキャリヤを最大帯域幅が包含することができるまで、１キャリヤずつ行われる。１つ以上の削除されるキャリヤは、優先度リストによれば最低優先度を持つ。残存キャリヤは、その移動局のための受信用のキャリヤを含む。
【００２０】
この実施形態の第２の面によると、目的は、移動局における無線リソースを管理するための方法によって達成される。移動局は、ワイヤレス無線ネットワークにおいて動作するように構成される。移動局は、同時受信のための最大帯域幅と、キャリヤを含む第１のキャリヤリストとを持っている。キャリヤは移動局に割り当てられた無線キャリヤである。最大帯域幅は、第１のキャリヤリスト内のすべてのキャリヤを包含することはできない。移動局は１つ以上のキャリヤを第１のキャリヤリストから削除する。１つ以上のキャリヤの削除は、削除後に残るすべてのキャリヤを最大帯域幅が包含することができるまで、１キャリヤずつ行われる。１つ以上の削除されるキャリヤは、優先度リストによれば最下位の優先度を持つ。残存キャリヤは、その移動局のための受信用のキャリヤを含む。移動局は決定したキャリヤでの無線受信を続行する。
【００２１】
この実施形態の第３の面によると、目的は、無線リソースを管理するためのネットワークノードによって達成される。ネットワークノードは、ワイヤレス無線ネットワークの中に含まれるように構成される。移動局は、ワイヤレス無線ネットワークの中で動作するように構成される。移動局は、同時受信のための最大帯域幅と、キャリヤを含む第１のキャリヤリストとを持っている。キャリヤは移動局に割り当てられた無線キャリヤである。最大帯域幅は、第１のキャリヤリスト内のすべてのキャリヤを包含することはできない。ネットワークノードは削除回路を含む。削除回路は、１つ以上のキャリヤを第１のキャリヤリストから削除するように構成される。１つ以上のキャリヤの削除は、削除後にすべてのキャリヤを最大帯域幅が包含することができるまで、１キャリヤずつ実行されるよう構成される。１つ以上の削除されるキャリヤは、優先リストによれば最低優先度を持つ。残存キャリヤは、その移動局のための受信用のキャリヤを含む。
【００２２】
この実施形態の第４の面によると、目的は、無線リソースを管理するための移動局によって達成される。移動局は、ワイヤレス無線ネットワークの中で動作するように構成される。移動局は、同時受信のための最大帯域幅と、キャリヤを含む第１のキャリヤリストとを持っている。キャリヤは移動局に割り当てられた無線キャリヤである。最大帯域幅は、第１のキャリヤリストのすべてのキャリヤを包含することはできない。移動局は、１つ以上のキャリヤを第１のキャリヤリストから削除するよう構成された削除回路を含む。１つ以上のキャリヤの削除は、削除後に残るすべてのキャリヤを最大帯域幅が包含するまで、１キャリヤずつ実行されるよう構成される。１つ以上の削除されるキャリヤは、優先権リストに従って最低優先度を持つ。残存キャリヤは、その移動局のための受信用のキャリヤを含む。移動局は、決定したキャリヤで無線受信を続行するよう構成された受信回路をさらに含む。
【００２３】
移動局の最大帯域幅が、削除後に残るすべてのキャリヤを包含することができるまで、最下位の優先度を持つ第１のキャリヤリストから１つ以上のキャリヤを削除することによって、計算の複雑さの低減を含め複雑さを減らしつつ移動局のための受信キャリヤを決定できる。
【００２４】
受信帯域幅が制限されている場合に受信するのはどのキャリヤかという問題に直面したときに、優先度を付けられたキャリヤのリストを持つ特許請求にかかる方法は、複雑性が小さいという利点を持っている。優先度リストと移動局の受信帯域幅とを与えられれば、移動局とネットワークの両者は、１つの無線ブロック期間にどのキャリヤをトラフィックのために使用するかを迅速かつ明確に決定できる。その結果、無線リソースを管理する改善された方法が提供され、その方法は、無線リソースの浪費を回避し、その一方移動局とネットワークの両方における実装の複雑さを小さく維持する。
【図面の簡単な説明】
【００２５】
添付図面は限定しない実施形態を説明しており、この開示のより一層の理解を提供するためにこの出願に含まれ、かつ、この出願に中に組み込まれてこの出願の一部を構成する。
【図１】いくつかの実施形態に従い、無線通信ネットワークの概略ブロック図を示す。
【図２】いくつかの実施形態に従い、ネットワークノードにおける方法の実施形態を示すフローチャートである。
【図３】いくつかの実施形態に従い、ＭＡＩＯに基づく優先度付けの実施形態を示す図である。
【図４】いくつかの実施形態に従い、選択アルゴリズムの一例におけるネットワークノードにおける方法の実装の実施形態を示すフローチャートである。
【図５】いくつかの実施形態に従い、移動局における方法の実施形態を示すフローチャートである。
【図６】いくつかの実施形態に従い、収集された現実のネットワークデータから、移動局の帯域幅制限による減縮済みキャリヤの数についての分析の実施形態を示す図である。
【図７】いくつかの実施形態に従って構成されたネットワークノードのブロック図である。
【図８】いくつかの実施形態に従って構成された移動局のブロック図である。
【発明を実施するための形態】
【００２６】
いくつかの実施形態によると、ネットワークノードおよびユーザノードまたはそのいずれかにおける方法が、規則のセットを提供することによって無線リソースを管理するために提供される。
【００２７】
これらの方法は、ＧＳＭにおける周波数ホッピングの上での機能を考慮して開発されている。それは以下で要約される。
【００２８】
実施形態は現在添付図面に関して以下でより十分に説明されるであろう。その図面において、特許請求された主題の例が示される。特許請求された主題はしかしさまざまな形式に具現化することができ、ここに記述された実施形態に制限されるものと解釈されるべきでない。むしろ、これらの実施形態は、この開示が完全で完成しており、特許請求された主題の範囲を当業者に伝えるように提供される。これらの実施形態が排他的ではないことはまた注目されるべきである。１つの実施形態のうちの構成要素は、他の実施形態に存在するあるいは利用されると暗黙に仮定し得る。
【００２９】
図１は、この実施形態を実施できるワイヤレス無線ネットワーク１００を表している。ワイヤレス無線ネットワーク１００は、例えば長期発展（ＬＴＥ）（例えばＬＴＥ周波数分割複信（ＦＤＤ）、ＬＴＥ時分割複信（ＴＤＤ）、ＬＴＥ半二重周波数分割複信（ＨＤ−ＦＤＤ））、広帯域符号分割多重接続（ＷＣＤＭＡ）、ユニバーサル地上波無線アクセス（ＵＴＲＡ）ＴＤＤ、汎欧州デジタル移動電話システム  （ＧＳＭ）ネットワーク、ＧＳＭ／ＧＳＭ発展のための拡張データレート（ＥＤＧＥ）無線アクセスネットワーク（ＧＥＲＡＮ）ネットワーク、ＥＤＧＥネットワーク、例えばマルチ標準無線（ＭＳＲ）基地局などの無線アクセス技術（ＲＡＴ）の任意の組み合わせを含むネットワーク、マルチＲＡＴ基地局、または一般的な用語では任意のネットワークまたはシステムなどのネットワークで良い。
【００３０】
ワイヤレス無線ネットワーク１００はネットワークノード１１０を含む。ネットワークノード１１０は、例えば、ｅＮＢ、ｅＮｏｄｅＢ、またはホームノードＢ、ホームｅＮｏｄｅＢ、フェムト基地局、ＢＳ、ピコＢＳ、基地トランシーバー局  （ＢＴＳ）または、ワイヤレス無線ネットワーク１００内のデバイスまたはマシンタイプ通信装置の役を果たすことができる任意の他のネットワークユニットなどの基地局１２０であってよい。いくつかの特定の実施例の中で、基地局１２０は固定リレーノードまたは移動リレーノードであってよい。ワイヤレス無線ネットワーク１００は、セルエリアに分割される地理上の区域をカバーし、各セルエリアが１つのネットワークノードによって提供されるが、１つのネットワークノードが１またはいくつかのセルをサービスすることができる。図１において示された例において、基地局１２０はセル１３０をサービスする。基地局１２０は、送信電力と、従ってまたセルサイズとに基づき、例えばマクロｅＮｏｄｅＢ、ホームｅＮｏｄｅＢ、またはピコ基地局などの異なるクラスをもっている可能性がある。一般に、ワイヤレス無線ネットワーク１００は、セル１３０に類似したより多くのセルを含み、それらのそれぞれのネットワークノードによってサービスされる。これはシンプルさのために図１において示されない。ネットワークノード１１０は１またはいくつかの通信技術をサポートすることができ、その名前は使われた技術と用語に依存し得る。３ＧＰＰ  ＧＥＲＡＮにおいて、ＢＴＳまたは無線基地局（ＲＢＳ）と称されることがある基地局１２０などのネットワークノードは、１つ以上のネットワーク１３５（例えばコアネットワークまたはインターネット）に直接接続することができる。ネットワークノード１１０はこれらの１つ以上のネットワークの中の任意のノードであってよい。例えば、ＧＳＭにおいて、基地局１２０は基地局コントローラ（ＢＳＣ）１４０とコアネットワークノード１５０とに接続され得る。基地局１２０は、リンク１５１上で１つ以上のネットワーク１３５、例えばＢＳＣ１４０と通信することができる。ＢＳＣ１４０はリンク１５２上でコアネットワークノード１５０と通信することができる。ここにおいて「ネットワーク」へのどのような参照でも、ネットワークノード１１０が、基地局１２０、基地局コントローラ１４０、およびコアネットワークノード１５０の１つである場合に、違った形で言及されない限り、目立たずにネットワークノード１１０への参照を含むことが意図されている。
【００３１】
ネットワークノード１１０はまた、ＵＥ（すなわち移動局、遠隔計測ノード、車両内通信ノード、または無線ネットワークシステムにおいて通信している任意のタイプのノード）などのユーザノードであってもよい。これらのすべてのユーザノードはここでは移動局と呼ばれる。多くの移動局はワイヤレス無線ネットワーク１００に置かれる。図１の例のシナリオの中で、１つの移動局だけが示された移動局１６０である。違った形で言及されない限り、ここでの「ユーザノード」「移動局」または「ＭＳ」へのどのような参照でも、目立たずに移動局１６０への参照を含むことを意図されている。移動局１６０は無線リンク１７０上でネットワークノード１１０と通信することができる。
【００３２】
移動局１６０は、例えば移動端末、ワイヤレス端末、および移動局またはその少なくともいずれかとしても知られているＵＥなどの無線通信デバイスである。このデバイスはワイヤレスであり、すなわちそれは、時々セルラ無線システムまたはセルラネットワークと称される無線通信ネットワークにおいて無線で通信することが可能とされる。通信は例えば２つのデバイスの間、デバイスと通常の電話の間、およびデバイスとサーバとの間、またはその少なくとも何れかで実行され得る。通信は例えばＲＡＮとことによるとワイアレスネットワークの中に含まれている１つ以上のコアネットワーク経由で実行されてもよい。
【００３３】
移動局１６０は、さらに、さらにいくつかの例に言及するためだけに、移動電話、携帯電話、または無線機能付きラップトップと称されることがある。現在のコンテキストにおいて、移動局１６０は、例えばポータブルデバイス、ポケット収納可能デバイス、ハンドヘルドデバイス、コンピュータに包含されたデバイス、または車両搭載移動デバイスであってよく、ＲＡＮ経由で他のエンティティ例えばサーバ、ラップトップ、携帯情報端末（ＰＤＡ）、またはタブレットコンピュータなどの、時々無線機能付きのサーフプレート、マシンツーマシン（Ｍ２Ｍ）デバイス、プリンタやファイルストレージデバイスなどの無線機能を装備したデバイス、またはセルラ通信システムにおいて無線リンク上で通信が可能な任意の他の無線ネットワークユニットと呼ばれるエンティティと、音声およびデータ又はその両方の通信が可能である。
【００３４】
ここのいくつかの実施形態によると、例えば、移動局１６０は、キャリヤ選択フィルタが受信可能なものを越えて周波数において分離されたパケットデータ物理チャネル（ＰＤＣＨ）上で割り付けられたとき、下で説明されるように、捨てられるべき無線リソースはどれかについてのクリアかつ明白な一組の規則を持つことができる。
【００３５】
ここの以下でさらに詳細に説明されるいくつかの実施形態によると、移動局１６０は、その割り当てすなわち割り付けにおけるキャリヤ周波数の優先順位たとえばＭＡＩＯを知っていてよい。移動局１６０が、基本送信時間間隔（ＢＴＴＩ）コンフィギュレーションからの所与のＴＤＭＡフレームのセット、たとえば４つの連続したＴＤＭＡフレーム内の全ての必要なキャリヤ周波数上で無線ブロックを構成するデータを受信できないという状況が生じ得る場合にはいつでも、それはすべての残存する割り当て済みリソースが受信され得るまで、キャリヤ周波数を次々に破棄することができる。リソース利用が効率的なシステムを維持するために、ネットワークノード１１０が基地局１２０、基地局コントローラ１４０、およびコアネットワークノード１５０の１つである場合、ネットワーク例えばネットワークノード１１０は、同じ単純なエクササイズを行って、モバイルたとえば移動局１６０がいずれにせよリッスンしていない可能性があり、その結果たとえばそれを受信するモバイルのために再送信しなければならない可能性のあるデータの送信を避ける。ネットワークノード１１０が基地局１２０、基地局コントローラ１４０、およびコアネットワークノード１５０の１つである場合、移動局１６０およびネットワーク例えばネットワークノード１１０は、どの無線リソースが捨てる必要があるかもしれないものであるかについて共通の理解を持つために、優先順位およびその決定方法を仕様において指定し得る。その代わりに、ネットワークから移動局１６０に、用いる優先順位を信号伝達する手段が指定されてもよい。
【００３６】
移動局１６０すなわちＭＳなどの移動局が複数のキャリヤＮを割り当てられ、かつ移動局１６０の受信帯域幅がＭＡ（すなわち受信のための可能性のある絶対周波数チャネルのリスト）の範囲よりもよりも小さいと仮定すると、各無線ブロック期間の送信内でどのキャリヤを受信するか決定する手順は以下のセクションの中で説明される。
【００３７】
さらにいくつかの実施形態のより中で、以下が想定され得る。
【００３８】
１．ネットワークノード１１０が、基地局１２０、基地局コントローラ１４０、およびコアネットワークノード１５０の１つである場合、移動局１６０はネットワーク例えばネットワークノード１１０に、それが同時受信のためにサポートすることができる最大帯域幅について信号伝達することができる。
【００３９】
２．移動局１６０は、周波数ホッピングキャリヤに追随するために、各時分割多元接続（ＴＤＭＡ）フレームの間に、そのフィルタを再調整することができる。すなわち、考慮するＡＲＦＣＮ／周波数の観点からは、各フレームの受信が別々であるとみなすことができる。
【００４０】
３．ネットワークノード１１０が、基地局１２０、基地局コントローラ１４０、およびコアネットワークノード１５０の１つである場合、移動局１６０は、ネットワーク例えばネットワークノード１１０に、それが同時受信のためのサポートするキャリヤの最大数について信号伝達することができる。
【００４１】
４．ネットワークノード１１０が、基地局１２０、基地局コントローラ１４０、およびコアネットワークノード１５０の１つである場合、移動局１６０は、そのタイムスロットクラス（例えば3GPP TS 45.002, version 10.3.0, "Multiplexing and multiple access on the radio path", Annex B参照）及び信号伝達されたキャリヤの最大数が与えられているならば、ネットワーク例えばネットワークノード１１０に、タイムスロットの最大値から減少したタイムスロットの数について信号伝達することができる。この信号伝達は移動局１６０のベースバンド能力、すなわち計算のパワーと関連していてもよい。
【００４２】
例えば、さらに下に説明された模範的な概要として、ここに開示した主題は以下のステップを含むことができる。
【００４３】
Ａ．ネットワークノード１１０が基地局１２０、基地局コントローラ１４０、およびコアネットワークノード１５０の１つである場合、ネットワーク例えばネットワークノード１１０は、たとえば移動局の一時ブロックフロー（ＴＢＦ）割り付けに対するリソース割り当てすなわち割り付け処理において、キャリヤに優先度を付けることができる。
【００４４】
これは、キャリヤのＭＡＩＯ、キャリヤあたり割り当てられたＰＤＣＨの数、ＡＲＦＣＮ、予測スループットまたは同様のもののような量に基づいてもよい。
【００４５】
Ｂ．決定は移動局１６０に信号伝達される。
【００４６】
これは、決定するために利用できる量であり得るものを信号伝達することによって明示的にまたは暗黙に行うことができる。例は、割り当てられた、すなわち割り付けられたＰＤＣＨの数、ＭＡＩＯ番号、ＡＲＦＣＮまたは同様のものに基づくランキングであってよい。下で説明されたセクションの中で、優先度付けおよび信号伝達のさらなる詳細を見いだすことができる。
【００４７】
Ｃ．移動局１６０は、受信フィルタ帯域幅が不十分な場合に、廃棄されるべきキャリヤを選ぶために優先度リストを使うことができる。
【００４８】
キャリヤを選ぶ方法は下の選択アルゴリズム例のセクション、すなわち制限されたフィルタ帯域幅オペレーションのためのキャリヤ／リソースの選択アルゴリズム中で例証される。
【００４９】
Ｄ．ネットワークノード１１０が基地局１２０、基地局コントローラ１４０、およびコアネットワークノード１５０の１つである場合、ネットワークたとえばネットワークノード１１０は、移動局１６０がいずれにせよリッスンしない可能性がある無線リソースを浪費することを避けるために、優先度リストと移動局１６０のフィルタ帯域幅についての知識とを使うことができる。この場合、もし同じ無線リソース上でより多くのユーザが多重化されるならば、ネットワークは例えば他の移動局へとデータを送信できる。
【００５０】
ネットワークと移動局１６０両方が、移動局１６０が例えば仕様を通してどのように優先度リストを作成するであろうかを既に知っているならば、ステップＡとＢとはスキップできる。
【００５１】
無線リソースを管理するためのネットワークノード１１０における方法の実施形態の例は、今から図２において示したフローチャートに関して説明されるであろう。ネットワークノード１１０はワイヤレス無線ネットワーク１００に含まれる。移動局１６０は、ワイヤレス無線ネットワーク１００において動作するよう構成される。移動局１６０は、同時受信のための最大帯域幅とキャリヤを含む第１のキャリヤリストとを持っている。キャリヤは移動局１６０に割り当てられた無線キャリヤである。最大帯域幅は第１のキャリヤリスト中のすべてのキャリヤを包含することはできない。
【００５２】
この方法は以下のアクションを含み、どのアクションが任意の適当な順序ででもとられることができる。図２におけるいくつかのボックスの破線は、アクションが義務的でないことを示す。
【００５３】
アクション２０１
これはオプションのアクションである。ネットワークノード１１０が、基地局１２０、基地局コントローラ１４０、およびコアネットワークノード１５０の１つである実施形態において、ネットワークノード１１０は、移動局１６０からの同時受信のために、移動局１６０によってサポートされた最大帯域幅を受信できる。受信は、例えば、移動局１６０から移動局１６０の無線アクセス能力を受信することによって実施されるか、または同様に実施できる。
【００５４】
アクション２０２
これはオプションのアクションである。ネットワークノード１１０が、基地局１２０、基地局コントローラ１４０、およびコアネットワークノード１５０の１つである実施形態において、ネットワークノード１１０は、移動局１６０へのリソース割当のプロセスにおいて第１のキャリヤリストの中のキャリヤに優先度を付けることができ、この優先度付けは１つ以上の量に基づき、優先度付けにより優先度リストを含む決定がもたらされる。
【００５５】
いくつかの実施形態において、この１つ以上の量は、優先度を付けるキャリヤを有する明示的なリスト、ＭＡＩＯ、割り当て即ちキャリヤリソース割り付け、ＡＲＦＣＮ、および割り付け順序すなわちキャリヤが割り付けられている順序、のうち１つを含んでよい。
【００５６】
上のＢ及びアクション２０２において述べたように、割り当てのキャリヤに優先度を付けるさまざまな方法があり得る。いくつかの優先度付けのほかにとりうる方法はここで概説される。仕様に影響力を持っているほかにとりうる方法をリストする。
【００５７】
１．優先度を付けるキャリヤを有する明示的なリスト
この代替方法は、量が、優先度を付けるキャリヤを有する明示的なリストである実施形態、例えば、優先度がリストの中に列挙され、かつ、移動局１６０によるさらなる導出を必要としなくともよい実施形態に対応している。
【００５８】
ネットワーク、例えばネットワークノード１１０が基地局１２０、基地局コントローラ１４０、およびコアネットワークノード１５０の１つである場合のネットワークノード１１０は、優先度を付けるキャリヤの完全なリスト（すなわち第１のキャリヤリスト）を信号伝達することができる。リソース割当てすなわち割り付けが上述の説明に従うのであれば、キャリヤの違いは割り当てられたＭＡＩＯ値にある可能性があり、それ故、優先度リストは割り当てられたＭＡＩＯと関連する可能性がある。さらにまた、非ホッピングチャネルはマルチキャリヤ割り当ての一部である可能性があり、その場合、固定されたＡＲＦＣＮのみが移動局１６０に知られている可能性があり、換言すれば、ＨＳＮ、ＭＡ、またはＭＡＩＯは全く提供されない可能性がある。この場合に、非ホッピングチャネルは、移動局１６０に信号で伝達された優先度付けリストに含められている必要もあり得る。
【００５９】
１つの例において、ＭＡＩＯ＝［０、１、２］を３つのキャリヤを有する移動局１６０に割り当てることができる。優先度付けリストは、ＭＡＩＯ＝２を割り当てられたキャリヤが最も高い優先度を持っていることを示す［２、３、１］であるかもしれない。
【００６０】
別の例では、ＭＡＩＯ＝［０、１、２］、およびＡＲＦＣＮ＝１０を用いる非ホッピングチャネルを、３つのキャリヤを有する移動局１６０に割り当てることができる。すなわち全部で４つのキャリヤが移動局１６０に割り当てられる。優先度付けリストは、ＭＡＩＯ＝２を割り当てられたキャリヤが最も高い優先度を持っていることを示す［４（非ホッピング）、２、３、１］であってもよい。非ホッピングチャネルは、もしあるなら、優先度付けリストの中で既知のポジションを割り当てることができる。
【００６１】
２．ＭＡＩＯに基づいた優先度付け
このほかにとりうる方法は、量がＭＡＩＯである実施形態に対応している。
【００６２】
上述した周波数ホッピング機能を考慮すれば、ＭＡがＭＡＩＯ／キャリヤの数より長いと考えるならば、すなわち、上のモジュラス演算によるラップアラウンド効果が、避けられた最大範囲であるはずと考えるならば、キャリヤに対する連続的なＭＡＩＯ値の割り当てがキャリヤ間の周波数の拡散を最小にするであろうことは明らかである。
【００６３】
従って、割り当ての大部分の中で、リストの中央でＭＡＩＯに低い優先度を設定することが帯域幅／周波数の観点から有益でないことは考えられる。ネットワークと移動局１６０に対する単純なアプローチは、従って、ＭＡＩＯ値に基づいてキャリヤに優先度を付け、最高または最低どちらかの割り当て済みＭＡＩＯ値から始めてキャリヤを廃棄することであり得る。すなわちこれらの実施形態においては、優先度付けはＭＡＩＯから暗黙に導出でき、すなわちレガシー機能以上のどのような新しい情報も提供（すなわち移動局１６０に信号で伝達）されない可能性がある。
【００６４】
優先度付けが移動局１６０およびネットワークの両方に対してクリアである限り、このアプローチはまた、非ホッピングチャネルが移動局１６０割り当てられている場合にもサポートされ得る。例えば、非ホッピングチャネルは、常に最低または最高の優先権を割り当てることができる。
【００６５】
例えば、ＭＡＩＯ＝［０、１、２］が３つのキャリヤを有する移動局１６０を割り当てられる。これは、用いる優先度付けリストが［１、２、３］であることを暗黙にネットワークと移動局１６０の両方に示す。
【００６６】
さらにＭＡＩＯで基づいた優先度付けに柔軟性を追加するために、反転されたＭＡＩＯの順序が使われるべきであるか否かを単一のビットで信号伝達する。すなわち'０'が、最低値を持つＭＡＩＯが最初に廃棄されることを示す一方、'１'が、最高値を持つＭＡＩＯが最初に廃棄されることを示す。いくつかの移動局が同じＭＡＩＯ、ＨＳＮ、およびＭＡを割り当てられて、かつそれらが同じ数のキャリヤと各キャリヤ上の無線リソースとを割り当てられるならば、異なるＭＡＩＯ順序を提供することは、より効率的なリソース活用を保証することがあり得る。この原則は図３において説明され、それは下で説明されるであろう。
【００６７】
別の例において、ＭＡＩＯ＝［０、１、２］が３つのキャリヤを持つ移動局１６０に割り当てられ、"ＭＡＩＯ順序"は'１'に設定される。これは、優先度付けリストが［３、２、１］であることをネットワークと移動局１６０の両方に示す。
【００６８】
３．割り当て、すなわちキャリヤリソース割り付けに基づいた優先度付け
このほかにとりうる方法は、量が割り当てである実施形態、すなわち各キャリヤに割り当てられたリソースの値に基づいた実施形態に対応している。
【００６９】
ＭＡＩＯに基づいた割り当てすなわち割り付けにおいて、優先度付けは割り付けられたキャリヤの周波数割り当てに基づくと考えられるだけである。しかし、ネットワークは、信号伝達された移動局１６０のマルチスロットクラスに基づいて、各ＴＤＭＡフレームの中の１つのキャリヤあたり複数のタイムスロット（ＴＳ）へと移動局１６０を割り当てる、すなわち割り付ける。ネットワークはそのとき、各無線ブロック期間に、割り当てられたすなわち割り付けられた多くともすべてのＴＳ上で移動局１６０をスケジューリングすることができ、移動局１６０は、受信したキャリヤ上の割り当てられたすなわち割り付けられたＴＳそれぞれをいつでも処理することができる必要があることがある。
【００７０】
特に、ダウンリンクデュアルキャリヤ機能のために、そしてまたマルチキャリヤ機能の先取りのためにも、移動局１６０は、信号伝達されたマルチスロットクラスから導出された最大値から減らすために複数のＴＳを信号で伝達することができる。例えば、移動局１６０が、ＤＬにおいて３つの割り当てられたキャリヤ上で４つのＴＳを受信できることを示しているマルチスロットクラスを信号伝達すると、また同時に３のタイムスロットの減少を信号伝達する（例えば、3GPP TS 45.002, version 10.3.0, "Multiplexing and multiple access on the radio path", Annex Bを参照）。これは事実上、ネットワークが、せいぜい４＊３−３＝９ＴＳをＤＬ上の移動局１６０に割り当てることを許されているだけである可能性があることを意味している。従って、セルにおける他の割り当てすなわち割り付けなどの他の面を無視すると、ネットワークは、異なるキャリヤの上の移動局１６０へのＴＳの非対称な割り当てすなわち割り付けを行うことを強いられることがある。その結果、リソースの多重化レートなどの他の面を無視すると、最も少ないＴＳが割り当てられた即ち割り付けられたキャリヤが最初に廃棄されてもよいことを保証することができるという現在の割り当てすなわち割り付けに基づくキャリヤの優先度付けは有益であり得る。このアプローチを用いた優先度付けの順序が、移動局１６０への明確な信号伝達なしに、データセッションの間に変更され得ること、すなわちリソースが再割り当てされたときに引き続き優先度付け順序が変わることに注意すべきかもしれない。すなわち、量が割り当てすなわち割り付けである実施形態において、優先度付けは各キャリヤの上で割り当てられたＴＳの数に基づき、この優先度付けは割り当てすなわち割り付けから暗黙に導出でき、すなわちレガシー機能以上のどのような新しい情報も提供（すなわち移動局１６０に信号で伝達）されない可能性がある。
【００７１】
例えば、ＭＡＩＯ＝［０、１、２］が３つのキャリヤを有する移動局１６０に割り当てられる、すなわち割り付けられる。各ＭＡＩＯについて、次のＴＳの数が移動局１６０に、例えばそれぞれのキャリヤ［４、３、２］のために割り当てられる、すなわち割り付けられる。これは、ネットワーク例えばネットワークノード１１０が、基地局１２０、基地局コントローラ１４０、コアネットワークノード１５０のうちの１つである場合、ネットワーク１１０に対して、優先度付リストが［１、２、３］であることを暗黙裡に示すことができる。
【００７２】
４．ＡＲＦＣＮに基づいた優先度付け
この、ほかにとりうる方法は、量がＡＲＦＣＮである実施形態に対応している。
【００７３】
ネットワークが、キャリヤ周波数の異なるセットによりホップするようキャリヤを設定し、それからＭＡＩＯが再利用されるかもしれないので、ＭＡＩＯはキャリヤを明確に特定しなくともよい。その場合に、ひとつのオプションは、例えば上で示された方程式の中でＨＳＮ（フレーム番号（ＦＮ））＝０を仮定することによって、ホッピングシーケンスにおける特定のＡＲＦＣＮに基づいてキャリヤを優先度付けすることである。同様に、昇順のまたは降順の値に基づいて優先度を付けることができる。すなわちこれらの実施形態において、優先度付けは、事前定義されたＦＮで割り付けられたキャリヤによって用いられたＡＲＦＣＮに基づいてもよく、優先度付けはＡＲＦＣＮから暗黙に導出されてもよく、すなわちレガシー機能以上のどのような新しい情報も提供（すなわち移動局１６０に信号で伝達）されない可能性がある。
【００７４】
例えば、２つのホッピングのセットＭＡ１およびＭＡ２が非ホッピング周波数とともに定義されている。ＭＡ１＝｛２、６、９、１２｝、ＭＡ２＝｛１５、１７、１９｝、非ホッピング周波数、ＡＲＦＣＮ＝２５。
【００７５】
ＭＡ１においてＭＡＩＯ＝［０、１］を、ＭＡ２においてＭＡＩＯ＝［２］を移動局１６０に割り当てられている、すなわち割り付けられていると仮定すると、結果として得られる優先度付け順序は（６．１における方程式の中でＨＳＮ（ＦＮ）＝０とすると）、［２、６、１９、２５］である。このリストは昇順または降順で優先度を付けられてよい。
【００７６】
５．割り当てすなわち割り付け順序に基づいた優先度付け
この、ほかにとりうる方法は、量が割り当て順序である実施形態に対応している。
【００７７】
また別のオプションは、キャリヤに、それらが昇順または降順のいずれかの優先順で割り当てられた順序に基づいてキャリヤに優先度を付けることである。すなわちこれらの実施形態において、この優先度付けは割り当てから暗黙に導出でき、すなわちレガシー機能以上のどのような新しい情報も提供（すなわち移動局１６０に信号で伝達）されない可能性がある。
【００７８】
上でリストしたもの以外の他の優先度付けのほかにとりうる方法を用いることができる。それらを結合できることはまた注目されてよい。例えば、割り当てすなわちキャリヤリソース割り付けに基づいた優先度付けが用いられ、いくつかのキャリヤが同じＴＳ割り当てを有するならば、最小／最大ＭＡＩＯを持つキャリヤを最初に廃棄することができる。
【００７９】
アクション２０３
これはオプションのアクションである。ネットワークノード１１０が、基地局１２０、基地局コントローラ１４０、およびコアネットワークノード１５０のうちの１つである実施形態において、ネットワークノード１１０は暗黙にまたは明示的に移動局１６０に優先度リストを信号伝達することができる。
【００８０】
優先度付け方法は、一時ブロックフロー（ＴＢＦ）セットアップで移動局１６０に明示的に信号伝達してよく、優先度付けの変更は、パケット関連制御チャネル（ＰＡＣＣＨ）のチャネルを使って、ＴＢＦの間に信号で伝達してもよい。その代わりに、データブロックまたは修正された無線リンク制御／媒体アクセス制御（ＲＬＣ／ＭＡＣ）ヘッダによって同時に転送され得る、再定義されたピギーバックＡｃｋ／Ｎａｃｋ（ＰＡＮ）を用いてもよい。別のオプションは、システム情報の中で戦略をブロードキャストすることであってもよい。
【００８１】
アクション２０４
これはオプションのアクションである。このアクションにおいて、ネットワークノード１１０は、第１のキャリヤリストのすべてのキャリヤを移動局１６０の最大帯域幅が包含することができないことを計算できる。これは例えば、ずっと下に説明されたアルゴリズムの例によって実施されてもよい。
【００８２】
アクション２０５
ネットワークノード１１０は、第１のキャリヤリストからの１つ以上のキャリヤを削除する。その１つ以上のキャリヤの削除は、削除後のすべての残存キャリヤを最大帯域幅が包含することができるまで、１キャリヤずつ行われ、１つ以上の削除するキャリヤは、優先度リストによれば最低優先度を持つ。これは例えば、ずっと下に説明されたアルゴリズム例によって実施することができる。
【００８３】
いくつかの実施形態の中で、第１のキャリヤリストから１つ以上のキャリヤを削除することはさらに、１つのキャリヤを第１のキャリヤから削除することを含んでもよい。削除されたキャリヤは優先度リストによれば最低の優先度を持ち、１つのキャリヤを削除することにより、最低優先度を持つキャリヤの削除後のすべての残存キャリヤを含む減縮済みキャリヤリストが得られる。
【００８４】
これらの実施形態のいくつかにおいて、第１のキャリヤリストから１つ以上のキャリヤを削除することは、移動局１６０の最大帯域幅が減縮済みキャリヤリスト中のすべての残存キャリヤを包含するかどうかを計算することをさらに含んでよい。移動局１６０の最大帯域幅が減縮済みキャリヤリスト中のすべての残存キャリヤを包含することができない場合には、第１のキャリヤリストから１つ以上のキャリヤを削除することはさらに、１つ以上の更なるキャリヤの削除後のすべての残存キャリヤを最大帯域幅が包含することができるとネットワークノード１１０が計算するまで、最低の優先度を持つ１つ以上のキャリヤを減縮済みキャリヤから１つずつ削除することを含んでもよい。
【００８５】
残存キャリヤは、次のアクションにおいて説明されるように、移動局１６０のための受信キャリヤを含む。
【００８６】
アクション２０６
これはオプションのアクションである。このアクションにおいて、１つ以上のキャリヤの削除後のすべての残存キャリヤを最大帯域幅が包含することができる場合に、ネットワークノード１１０は、１つ以上のキャリヤの削除後のすべての残存キャリヤが、移動局１６０のための受信キャリヤを含むと判定する。これは例えばずっと下に説明されたアルゴリズム例によって実施され得る。
【００８７】
ネットワークノード１１０が基地局１２０、基地局コントローラ１４０およびコアネットワークノード１５０のうちの１つである実施形態において、１つ以上のキャリヤの削除後のすべての残存キャリヤを最大帯域幅が包含することができる場合に、ネットワークノード１１０は、１つ以上のキャリヤの削除後のすべての残存キャリヤが、ネットワークノード１１０のために移動局１６０に割り当てることが可能なキャリヤを含むと判断できる。
【００８８】
移動局１６０に割り当てられたキャリヤが、１つの無線ブロック期間内の、第１のバースト及び１つ以上の追加のバーストを含む複数のバースト（例えば４つのバースト）に割り当てられたいくつかの実施形態において、計算、削除、および判定は、第１のバーストについて実行されて、それから１つ以上の追加バーストのそれぞれのために実行されてよい。いくつかの実施形態の中で、無線ブロック期間の複数のバーストは４つのバーストである。
【００８９】
アクション２０７
これはオプションのアクションである。ネットワークノード１１０が移動局１６０であるいくつかの実施形態において、ネットワークノード１１０は削除されたキャリヤと関連付けられた１つ以上のタイムスロット上の無線受信を無効にすることができる。これは例えば以下のアルゴリズム例によって実施され得る。
【００９０】
上で参照した図３は、いくつかの実施形態によるＭＡＩＯに基づいた優先度付けの実施形態を示している図的表現である。この図は、移動局１６０などの第１の移動局ＭＳ１および移動局１６０などの第２の移動局に対するＭＡＩＯの割り当てに基づいた或るキャリヤの利用の確率を示す。ここでＭＳ１およびＭＳ２には異なるＭＡＩＯ順が与えられている。実線によって表されているＭＳ１は正常な順序を用い、破線によって表されているＭＳ２は反転した順序を用いる。
【００９１】
制限的でない選択アルゴリズム例
上述したネットワークノード１１０中で手順を実施する１つの可能な方法が下で示されて、また図４に示されている。
【００９２】
アクション４０１。ネットワークノード１１０は移動局１６０の帯域幅「ＭＳ帯域幅」、優先権リスト、およびキャリヤリストを読むことができる。
【００９３】
アクション４０２。ネットワークノード１１０は、次のブロック期間について、移動局１６０の受信帯域幅「ＭＳ受信ＢＷ」が、キャリヤリストの中のすべてのキャリヤを包含するかどうかを計算できる。
【００９４】
アクション４０３。ネットワークノード１１０は、移動局１６０の受信帯域幅が、キャリヤリストの中のすべてのキャリヤを包含することに成功したかどうかを判定することができる。いくつかの実施形態の中で、このアクションはアクション２０６と一致してもよい。
【００９５】
アクション４０４。ネットワークノード１１０が、移動局１６０の受信帯域幅が、キャリヤリストの中のすべてのキャリヤを包むことに成功しなかったと判定できる場合に、優先度リストに応じて、ネットワークノード１１０は最低優先度を持っているキャリヤをキャリヤリストから削除する。ネットワークノード１１０は、それから、キャリヤが削除されたキャリヤリストを用いて計算ステップを繰り返してもよい。
【００９６】
アクション４０５。ネットワークノード１１０が、移動局１６０の受信帯域幅が、キャリヤリストの中のすべてのキャリヤを包含することに成功したと判定できる場合に、ネットワークノードが移動局１１０である実施形態において、ネットワークノード１１０は、キャリヤリストの中の残存キャリヤ上で無線受信を続行することができる。
【００９７】
ネットワークノード１１０が、移動局１６０の受信帯域幅がキャリヤリストの中のすべてのキャリヤを包含することに成功しなかったと判定できるたびに、すなわち「成功か？」という質問への応答がノーのときにはいつでも、ネットワークノード１１０は、移動局１６０の受信帯域幅がキャリヤリストの中のすべてのキャリヤを包含することに成功したとネットワークノード１１０が判定できるまで、削除（４０４）および計算（４０２）のアクションを繰り返すことができる。すなわち、このアルゴリズムは、移動局１６０の受信帯域幅がキャリヤリストの中のすべてのキャリヤを包含することに成功したとネットワークノード１１０が判定できるまで、削除（４０４）、計算（４０２）および決定（４０３）のアクションを通してループしてもよい。
【００９８】
移動局１６０は、移動局１６０が、次の無線ブロック期間のために割り当てられたすなわち割り付けられたキャリヤ上で４つのバーストすべてを受信できるかどうかを判定することができる。
【００９９】
最初のバーストによって起動すると、ネットワークノード１１０は以下をすることができる。
【０１００】
１．判定：バーストのためのキャリヤは移動局１６０の受信帯域幅の中にあるか？
ノーならば、
ｉ）最低優先度を持つキャリヤを無効にする。
【０１０１】
ｉｉ）例えばバースト内で、この無線ブロック期間についての次の判定において更に考慮すべきものからキャリヤを削除する。このキャリヤと関連付けられたタイムスロットの上の無線受信を無効にする。
【０１０２】
ｉｉ）１に行き、このバーストのための判定を再考する。
【０１０３】
イエスならば、
代替方法１：
ｉ）１に行き、次のバーストのために判定を行う。考慮すべきバーストがこれ以上ないのであれば、ステップ２に行く。
【０１０４】
２．実行：無効にされていないキャリヤの上で、割り当てられたリソース上で、すなわち割り付けられたリソースのすべてのバーストを受信する。
【０１０５】
代替方法２：
ｉ）無効にされていないキャリヤの上で割り当てられた、すなわち割り付けられたリソース上で受信する。１に行き、次のバーストのために判定を行う。考慮すべきバーストがこれ以上ないのであれば、ステップ２に行く。
【０１０６】
２．実行。
【０１０７】
代替方法１による実施形態と代替方法２による実施形態は類似しているけれども、代替方法１は無線ブロック期間全体についてどのバーストを受信するかを事前に計算する一方、代替方法２は別個のバーストそれぞれのためにこの計算を分散するという相違がある。これは、相互バースト間関係を制限する移動局のレシーバの実装において有益であり得る。代替方法１は、すべてのバーストにおいて受信するキャリヤを含むのみのより狭いキャリヤ選択フィルタを許すことができる。また、いくつかのキャリヤについてはすべてのバーストを受信することが可能でないかもしれないことが無線ブロック期間の最初にすでに知られているので、いくつかの不要なバースト受信の試みを避けることができる。
【０１０８】
制限的でないアルゴリズムの出力例
以下は、無線ブロック期間の複数のバーストが４つのバーストである実施形態において、どのように上述したアルゴリズムが、降順でランク付けされた３つのキャリヤ上で動作するか、および移動局１６０が３０チャネルのバンド幅を受信するかについての例である。
【０１０９】
バースト１
キャリヤ１はＡＲＦＣＮ＝１０にあり、キャリヤ２はＡＲＦＣＮ＝３０にあり、キャリヤ３はＡＲＦＣＮ＝５０にある。
【０１１０】
ｍｉｎ（［１０、３０、５０］）−ｍａｘ（［１０、３０、５０］）＜３０か？（Ｎｏ）
最低優先度を持つキャリヤすなわちキャリヤ３を無効にする。
【０１１１】
ｍｉｎ（［１０、３０］）−ｍａｘ（［１０、３０］）＜３０か？（Ｙｅｓ）
バースト２へ進む。
【０１１２】
バースト２：キャリヤ１はＡＲＦＣＮ＝５にあり、キャリヤ３はＡＲＦＣＮ＝２５にあり、キャリヤ３は無効にされているため考慮されない。
【０１１３】
ｍｉｎ（［５、２５］）−ｍａｘ（［５、２５］）＜３０か？（Ｙｅｓ）
バースト３へ進む。
【０１１４】
バースト３：キャリヤ１はＡＲＦＣＮ＝５０にあり、キャリヤ２はＡＲＦＣＮ＝４０にあり、キャリヤ３は無効にされているため考慮されない。
【０１１５】
ｍｉｎ（［５０、４０］）−ｍａｘ（［５０、５０］）＜３０か？（Ｙｅｓ）
バースト４へ進む。
【０１１６】
バースト４：キャリヤ１はＡＲＦＣＮ＝５５にあり、キャリヤ２はＡＲＦＣＮ＝１０にあり、キャリヤ３は無効にされているため考慮されない。
【０１１７】
ｍｉｎ（［５５、１０］）−ｍａｘ（［５５、１０］）＜３０か？（Ｎｏ）
最低優先度の残存キャリヤ、すなわちキャリヤ２を無効にする。
【０１１８】
ｍｉｎ（［５５］）−ｍａｘ（［５５］）＜３０か？（Ｙｅｓ）
すべてのバーストを検討したなら、キャリヤ１上の受信のみを続行する。完了。
【０１１９】
無線リソースを管理するための移動局１６０における方法の実施形態の例はこれから図５において示されたフローチャートに関して説明されるであろう。移動局１６０は、ワイヤレス無線ネットワーク１００中で動作するよう構成される。移動局１６０は、同時受信のための最大帯域幅と、キャリヤを含む第１のキャリヤリストとを持っている。キャリヤは移動局１６０に割り当てられた無線キャリヤである。最大帯域幅は第１のキャリヤリスト中のすべてのキャリヤを包含することはできない。
【０１２０】
この方法は以下のアクションを含み、そのアクションはどのような適当な順序ででもとられ得る。図５におけるいくつかのボックスの破線は、そのアクションが義務的でないことを示す。
【０１２１】
アクション５０１
これはオプションのアクションである。このアクションにおいて、移動局１６０は、基地局１２０、基地局コントローラ１４０、およびコアネットワークノード１５０の１つであるネットワークノード１１０に対して、同時受信のための移動局１６０によってサポートされた最大帯域幅を送信することができる。これは、例えば、移動局１６０が無線アクセス能力をネットワークノード１１０に送信することによって実施することができる。
【０１２２】
アクション５０２
これはオプションのアクションである。移動局１６０は、キャリヤの優先度リストを、ワイヤレス無線ネットワーク１００に含まれた、基地局１２０、基地局コントローラ１４０およびコアネットワークノード１５０の１つであるネットワークノード１１０から暗黙にあるいは明示的に取得することができる。ここにおいてアクション２０２において前に説明したように、移動局１６０へのリソース割り付けのプロセスにおいて、キャリヤリスト中のキャリヤはネットワークノード１１０によって優先度が付けられており、この優先度付けは１以上の量に基づいており、１以上の量は、優先度を付けるキャリヤの明示的なリスト、ＭＡＩＯ、割当て、ＡＲＦＣＮ、およびキャリヤの割り付け順序のうちの１つを含む。アクション２０３に関連して前に説明したように取得は実施し得る。
【０１２３】
アクション５０３
これはオプションのアクションである。このアクションにおいて、移動局１６０は、移動局１６０の最大帯域幅が第１のキャリヤリストのすべてのキャリヤを包含することができないことを計算し得る。これは、アクション２０４に関連して前に説明したように実施し得る。
【０１２４】
アクション５０４
移動局１６０は、第１のキャリヤリストから１つ以上のキャリヤを削除する。この１つ以上のキャリヤの削除は、削除後のすべての残存キャリヤを最大帯域幅が包含するまで、１キャリヤずつ行われ、１つ以上の削除されるキャリヤは優先度リストによれば最低優先度を有する。これは、アクション２０５に関連して前に説明したように実施し得る。
【０１２５】
いくつかの実施形態において、第１のキャリヤリストから１つ以上のキャリヤを削除することは、第１のキャリヤリストから１つのキャリヤの削除をさらに含んでもよい。削除されたキャリヤは優先権リストによる最低優先度を持ち、１つのキャリヤを削除することにより、最低優先度を持つキャリヤの削除後のすべての残存キャリヤを含む減縮済みキャリヤリストが得られる。
【０１２６】
これらの実施形態のいくつかにおいて、第１のキャリヤリストから１つ以上のキャリヤを削除することは、移動局１６０の最大帯域幅が、減縮済みキャリヤリスト内のすべての残存キャリヤを包含することができるかどうかを計算することを更に含み得る。移動局１６０の最大帯域幅が、減縮済みキャリヤリスト内の残存キャリヤすべてを包含することができない場合には、第１のキャリヤリストから１以上のキャリヤを削除することは、１つ以上のキャリヤの削除後のすべての残存キャリヤを最大帯域幅が包含することをネットワークノード１１０が計算するまで、減縮済みキャリヤリストから最低優先度を持つ１つ以上の更なるキャリヤを１つずつ削除することを含んでもよい。
【０１２７】
残存キャリヤは、次のアクションで説明するように、移動局１６０のための受信キャリヤを含んでよい。
【０１２８】
アクション５０５
これはオプションのアクションである。このアクションにおいて、１つ以上のキャリヤの削除２０５の後のすべての残存キャリヤを最大帯域幅が包含する場合、１つ以上のキャリヤの削除２０５の後のすべての残存キャリヤが、移動局１６０のための受信キャリヤを含むと移動局１６０が判定できる。これは、アクション２０６に関連して前に説明したように実施し得る。
【０１２９】
アクション５０６
これはオプションのアクションである。このアクションにおいて、移動局１６０は削除されたキャリヤと関連付けられた１つ以上のタイムスロットの上の無線受信を無効にすることができる。これは、アクション２０７に関連してより前に説明したように実施し得る。
【０１３０】
アクション５０７
移動局１６０は、判定したキャリヤ上での無線受信を続行する。これは例えば、無線リソース上の無線ブロックにより搬送される無線リンク制御（ＲＬＣ）プロトコルデータユニット（ＰＤＵ）を受信することによって実施し得る。
【０１３１】
いくつかの実施形態において、移動局１６０に割り付けられたキャリヤが無線ブロック期間内の複数のバースト（例えば４つのバースト）に割り付けられ、その複数のバーストは第１のバーストと１つ以上の追加のバーストとを含み、計算、削除、および判定は第１のバーストのために実行されて、それから１つ以上の追加のバーストのそれぞれのために実行されてよい。これらの実施形態において、計算、削除、および判定が複数のバースト内のすべてのバーストのために実行された後に、続きが実行され得る。いくつかの実施形態において、無線ブロック期間の複数のバーストは４つのバーストである。
【０１３２】
移動局１６０の受信帯域幅が制限される場合にどのキャリヤを受信するかの問題に直面した場合、優先度を付けられたキャリヤのリストとともに、図２および図４−５に関連して説明した方法の実施形態は以下の利点を持っている。
【０１３３】
ネットワークノード１１０が基地局１２０、基地局コントローラ１４０およびコアネットワークノード１５０のうちの１つである場合、ネットワークノード１１０は、直接的な方法で、移動局１６０などの移動局が使う優先度リストに関して、セル例えばセル１３０内の無線リソース割り当てを適応させることができる。さらに最適化するために、ネットワークノード１１０は異なる優先度リストを移動局１６０などの異なる移動局に割り当ててもよい。
【０１３４】
図２および図４−５に関連して説明された方法の実施形態は、特定のキャリヤを常に受信できることを保証してもよい。キャリヤ数を最大化することにのみ基づいた最適化された優先度付けが使われるならば、これは当てはまらない。特定のキャリヤの保証されている受信は、例えばＵＬ上のペアになったキャリヤの使用を可能にする。それは、また、実施形態（例えば、定義済みの優先度付けされたキャリヤに基づく（すなわち依存する）ＤＬマルチキャリヤ（ＤＬＭＣ）機能）の実施を容易にすることができる。
【０１３５】
図２および図４−５に関連して説明された方法の実施形態は、単純な方法で、どのキャリヤが例えば移動局１６０により受信され得るかをネットワークに示すことができる。これは、多重化シナリオにおけるＤＬスケジューリング及び他の移動局の割当ての実施を容易にすることができる。
【０１３６】
上述した利点は別として、図２および図４−５に関連して説明された方法の実施形態は、実際に設置したネットワークから収集された統計に基づいた、各データブロックについての最適化された選択を用いることと比較されてもよい。結果は図６に示されている。図６は、いくつかの実施形態にしたがって、収集された実際のネットワークデータからの、移動局の帯域幅制限に起因する減縮済みキャリヤの数についての分析の実施形態を示している図である。この図は、移動局１６０における帯域幅制限のために廃棄される必要の可能性があるキャリヤの数の確率「確率」軸と、「減縮済みキャリヤの数（０−＞（最大値−１））」軸を示す。提供された例は帯域幅＝１０ＭＨｚかつキャリヤ数＝４に関してである。この図は、最適化された手順と、ここに説明された優先度に基づいた提案方法との間の比較を示す。ドット付きの黒色のバーによって表され、「Ｏｐｔｉｍｕｍ」としてラベル付けされた最適化された手順において、各キャリヤの組み合わせは、受信されるキャリヤの数を最大化するものを決定するために調査される。ここにおける優先度に基づいた提案された方法は、無地の黒色のバーによって表され、「Ｐｒｉｏ  ｂａｓｅｄ」とラベル付されている。図において示された結果は、最適化された手順と提案された方法とが酷似していることを示す。
【０１３７】
無線リソースを管理するために図２に関連して上述したネットワークノード１１０における方法のアクションを実行するために、ネットワークノード１１０は図７において示した以下の配置を有する。ネットワークノード１１０は、ワイヤレス無線ネットワーク１００中に含まれるよう構成される。移動局１６０は、同時受信のための最大帯域幅とキャリヤを含む第１のキャリヤリストとを有するワイヤレス無線ネットワーク１００において動作するように構成され、そのキャリヤは移動局１６０に割り当てられた無線キャリヤであり、最大帯域幅は第１のキャリヤリストのすべてのキャリヤを包含することができるわけではない。
【０１３８】
以下の機能のいくつかの詳細な説明は、ネットワークノード１１０について記述されたアクションに関連して上述したのと同じ説明に対応しており、従ってここで繰り返されないであろう。
【０１３９】
ネットワークノード１１０は、第１のキャリヤリストから１以上のキャリヤを削除するよう構成された削除回路７０１を含み、１以上のキャリヤを削除することは、削除後のすべての残存キャリアを最大帯域幅が包含することができるまで１キャリヤずつ実行され、１つ以上の削除されるキャリヤは優先度リストによれば最低優先度を持っている。残存キャリヤは、移動局１６０のための受信キャリヤを含む。
【０１４０】
いくつかの実施形態においては、第１のキャリヤリストから１つ以上のキャリヤを削除することは、第１のキャリヤリストから１つのキャリヤを削除することを含み、削除されるキャリヤは優先度リストによれば最低優先度を持っている。ここで１つのキャリヤを削除することにより、最低優先度を持っているキャリヤの削除後のすべての残存キャリヤを含む減縮済みキャリヤリストが得られる。
【０１４１】
これらの実施形態のいくつかにおいて、１つ以上のキャリヤを第１のキャリヤリストから削除することは、移動局１６０の最大帯域幅が減縮済みキャリヤの中のすべての残存キャリヤを包含することができるかどうかを計算することをさらに含んでもよい。移動局１６０の最大帯域幅が減縮済みキャリヤの中のすべての残存キャリヤを包含することができない場合、１つ以上のキャリヤを第１のキャリヤリストから削除することは、減縮済みキャリヤリストから最低優先度を持つ１つ以上の更なるキャリヤを、１つ以上の更なるキャリヤの削除後のすべての残存キャリヤを最大帯域幅が包含することができるとネットワークノード１１０が計算するまで、１つずつ削除することをさらに含んでもよい。
【０１４２】
いくつかの実施形態において、ネットワークノード１１０はまた、移動局１６０へのリソース割り付け処理中に第１のキャリヤリストの中のキャリヤに優先度を付けるよう構成された優先度付け回路７０２を含んでもよく、ここで優先度付けは１つ以上の量に基づき、優先度付けにより優先度リストを含む決定が得られる。
【０１４３】
いくつかの実施形態において、１つ以上の量は、優先度を付けるキャリヤを持つ明示的なリスト、モバイル割当てインデックスオフセット（ＭＡＩＯ）、割り当て、絶対無線周波数チャネル番号（ＡＲＦＣＮ）、および割り付け順序のうちのひとつを含んでよい。
【０１４４】
いくつかの実施形態においては、ネットワークノード１１０はまた、移動局１６０の最大帯域幅が第１のキャリヤリストの中のすべてのキャリヤを包含することができないことを計算するよう構成された計算回路７０３を含んでもよい。
【０１４５】
いくつかの実施形態において、ネットワークノード１１０はまた、移動局１６０の最大帯域幅が１つ以上のキャリヤの削除後のすべての残存キャリヤを包含することができる場合に、１つ以上のキャリヤの削除後のすべての残存キャリヤが移動局１６０のための受信キャリヤを含むと判定するよう構成された判定回路７０４をさらに含んでもよい。
【０１４６】
ネットワークノード１１０が基地局１２０、基地局コントローラ１４０、およびコアネットワークノード１５０の１つである実施形態において、ネットワークノード１１０は、同時受信のために移動局１６０によってサポートされた最大帯域幅を移動局１６０から受信するよう構成された受信回路７０５を含んでもよい。
【０１４７】
ネットワークノード１１０が基地局１２０、基地局コントローラ１４０、およびコアネットワークノード１５０の１つである実施形態において、ネットワークノード１１０は、移動局１６０に優先度リストを暗黙にまたは明示的に信号伝達するよう構成されたシグナリング回路７０６を含んでもよい。
【０１４８】
ネットワークノード１１０が移動局１６０であるいくつかの実施形態において、ネットワークノード１１０は、削除されたキャリヤと関連付けられた１つ以上のタイムスロットの上での無線受信を無効にするよう構成された無効化回路７０７を含んでもよい。
【０１４９】
移動局１６０に割り付けられたキャリヤが無線ブロック期間の中の複数のバーストに割り付けられているいくつかの実施形態において、複数のバーストは第１のバーストおよび１つ以上の追加のバーストとを含み、計算すること、１つ以上のキャリヤを第１のキャリヤリストから削除すること、および判定することは、第１のバーストのために実行され、それから１つ以上の追加のバーストのそれぞれのために実行されるよう構成され、計算すること、１つ以上のキャリヤを第１のキャリヤリストから削除すること及び判定することが、複数のバーストの中のすべてのバーストについて実行された後で、続きが実行されるよう構成される。
【０１５０】
ネットワークノード１１０中で無線リソースを管理するためのここの実施形態は、ここの実施形態の機能とアクションとを実行するためのコンピュータプログラムコードとともに、図７に示したネットワークノード１１０中の処理回路７０８などの１つ以上のプロセッサを通して実施することができる。上述したプログラムコードはまた、たとえばネットワークノード１１０にロードされるときにここの実施形態を実行するためのコンピュータプログラムコードを搬送するためのデータキャリヤという形のコンピュータプログラム製品として提供できる。１つのそのようなキャリヤがＣＤ  ＲＯＭディスクという形であり得る。それはしかしメモリスティックなどの他のデータキャリヤによって実現可能であり得る。コンピュータプログラムコードはさらに、サーバ上のピュアプログラムコードとして提供され、ネットワークノード１１０にダウンロードされてもよい。
【０１５１】
ネットワークノード１１０は１つ以上の記憶装置を含むメモリ回路７０９をさらに含んでもよい。メモリ回路７０９は、ネットワークノード１１０において実行される際に、ここの方法を実行するアプリケーションに関連した処理回路７０８によって削除された又は優先度付けされた又は計算された又は判定された又は受信された又は信号伝達された情報、またはそれらが組み合わされた情報などのデータを格納するために用いられるよう配置されている。メモリ回路７０９は処理回路７０８と通信することができる。処理回路７０８によって処理された任意の他の情報もまたメモリ回路７０９に記憶することができる。
【０１５２】
いくつかの実施形態において、同時受信のために移動局１６０によってサポートされた最大帯域幅などの情報は受信ポート７１０を通して受信してもよい。いくつかの実施形態において、受信ポート７１０は例えばネットワークノード１１０中の１つ以上のアンテナと接続されてもよい。他の実施形態においては、ネットワークノード１１０は、ワイヤレス無線ネットワーク１００の中の別の組織からの情報を、受信ポート７１０を通して受信してもよい。受信ポート７１０が処理回路７０８と通信していてもよいので、受信ポート７１０はそのとき受信した情報を処理回路７０８に送信してもよい。受信ポート７１０は、また、他の情報を受信するよう構成することもできる。
【０１５３】
ここに開示された方法に関連した処理回路７０８によって削除され、優先度付けされ、判定され、受信されおよび信号伝達された情報またはそのいずれかの情報は、前に述べたように、処理回路７０８及び受信回路７１０と通信することができるメモリ回路７０９に記憶してもよい。
【０１５４】
処理回路７０８は、処理回路７０８及びメモリ回路７０９と通信できる送信ポート７１１を通して移動局１６０へ優先度リストなどの情報を信号伝達するように構成されてもよい。
【０１５５】
当業者はまた、上述した削除回路７０１、優先度付け回路７０２、計算回路７０３、判定回路７０４、受信回路７０５、および信号伝達回路７０６が、アナログ回路とデジタル回路の組み合わせに属していてもよいこと、及び、（例えばメモリに格納された）ソフトウェア及びファームウェア又はそのいずれかが処理回路７０８などの１つ以上のプロセッサによって実行される場合に、ソフトウェア及びファームウェア又はそのいずれかとともに構成された１つ以上のプロセッサが上述したように実行すること、またはその両方を理解するであろう。他のデジタルハードウェアと同様に、これらプロセッサの１つ以上は、１つの特定用途向け集積回路（ＡＳＩＣ）に含まれてもよいし、又は、いくつかのプロセッサと様々なデジタルハードウェアとが、個別にパッケージされたか或いはシステムオンチップ（ＳｏＣ）内へアセンブルされたいくつかの別々の部品に分散されてもよい。
【０１５６】
無線リソースを管理するために図５に関連して上述した移動局１６０における方法のアクションを実行するために、移動局１６０は図８に示した以下の配置を含む。移動局１６０は、ワイヤレス無線ネットワーク１００中で動作するよう構成される。移動局１６０は、同時受信のための最大帯域幅とキャリヤを含む第１のキャリヤリストとを持ち、ここでキャリヤは、移動局１６０に割り付けられた無線キャリヤであり、最大帯域幅は第１のキャリヤリスト内のすべてのキャリヤを含むことはできない。
【０１５７】
以下の機能のいくつかの詳細な説明は、移動局１６０について説明したアクションに関連して上に提供した同じ説明と対応しており、従ってここでは繰り返されないであろう。
【０１５８】
移動局１６０は、第１のキャリヤから１つ以上のキャリヤを削除するよう構成された削除回路８０１を含み、１つ以上のキャリヤを削除することは、削除後のすべての残存キャリヤを最大帯域幅が包含することができるまで、１キャリヤずつ実行されるよう構成され、削除される１つ以上のキャリヤは優先度リストによれば最低優先度を持っている。残存キャリヤは移動局１６０のための受信キャリヤを含む。
【０１５９】
第１のキャリヤリストから１つ以上のキャリヤを削除することは、第１のキャリヤリストから１つのキャリヤを削除することを含んでよく、削除されるキャリヤは優先度リストによれば最低優先度を持つ。ここで１つのキャリヤを削除することは、最低優先度を持っているキャリヤの削除後のすべての残存キャリヤを含む減縮済みキャリヤリストが得られるよう構成される。
【０１６０】
これらの実施形態のいくつかにおいて、１つ以上のキャリヤを第１のキャリヤリストから削除することは、減縮済みキャリヤリストの中のすべての残存キャリヤを最大帯域幅が包含することができるかどうかの計算を更に含んでもよい。移動局１６０の最大帯域幅が減縮済みキャリヤリストの中のすべての残存キャリヤを包含することができない場合、第１のキャリヤリストから１つ以上のキャリヤを削除することは、減縮済みキャリヤリストから最低優先度を持つ１つ以上の更なるキャリヤを、１つ以上の更なるキャリヤの削除の後で、減縮済みキャリヤリストの中のすべての残存キャリヤを最大帯域幅が包含することができるまで、１つずつ削除することを更に含んでよい。
【０１６１】
移動局１６０は、判定されたキャリヤ上で無線受信を続行するよう構成された受信回路８０２をさらに含む。
【０１６２】
いくつかの実施形態において、移動局１６０は、移動局１６０の最大帯域幅が第１のキャリヤリストの中のすべてのキャリヤを包含することができないことを計算するよう構成された計算回路８０３を含んでもよい。
【０１６３】
いくつかの実施形態において、移動局１６０は、削除されたキャリヤと関連付けられた１つ以上のタイムスロットの上で無線受信を無効にするよう構成された無効化回路８０４を含んでもよい。
【０１６４】
いくつかの実施形態において、移動局１６０は、１つ以上のキャリヤの削除後のすべての残存キャリヤを最大帯域幅が包含することができる場合に、１つ以上のキャリヤの削除後のすべての残存キャリヤが移動局１６０のための受信キャリヤを含むと判定するよう構成された判定回路８０５を含んでもよい。
【０１６５】
いくつかの実施形態において、移動局１６０は、ワイヤレス無線ネットワーク１００に含まれるネットワークノード１１０からキャリヤの優先度リストを、暗黙にまたは明示的に取得するよう構成された取得回路８０６を含んでもよく、ここでネットワークノード１１０が基地局１２０、基地局コントローラ１４０、およびコアネットワークノード１５０の１つであり、キャリヤリストの中のキャリヤが、移動局１６０へのリソース割り付け処理においてネットワークノード１１０により優先度付けされており、優先度付けは１つ以上の量に基づいており、１つ以上の量は、優先度を付けるキャリヤを持つ明示的なリスト、モバイルアロケーションインデックスオフセット（ＭＡＩＯ）、割当て、絶対無線周波数チャネル番号（ＡＲＦＣＮ）、およびキャリヤ割当て順序のうちのひとつを含む。
【０１６６】
いくつかの実施形態において、移動局１６０は、同時受信のために移動局１６０によってサポートされた最大帯域幅をネットワークノード１１０に送信するよう構成された送信回路８０７を含んでもよい。
【０１６７】
移動局１６０に割り付けられたキャリヤが無線ブロック期間の中の複数のバーストに割り付けられているいくつかの実施形態において、複数のバーストは、第１のバーストと１つ以上の追加のバーストとを含み、計算すること、１つ以上のキャリヤを第１のキャリヤリストから削除すること、および判定することは、第１のバーストのために実行され、それから１つ以上の追加のバーストのそれぞれのために実行されるよう構成され、計算すること、１つ以上のキャリヤを第１のキャリヤリストから削除すること及び判定することが、複数のバーストの中のすべてのバーストについて実行された後で、続きが実行されるよう構成される。
【０１６８】
無線リソースを管理するためのここの実施形態は、ここの実施形態の機能とアクションとを実行するためのコンピュータプログラムコードとともに、図８に示した移動局１６０内の処理回路８０８などの１つ以上のプロセッサを通して実施されてもよい。上述したプログラムコードはまた、例えば移動局１６０にロードされるときにここの実施形態を実行するためのコンピュータプログラムコードを搬送するためのデータキャリアという形のコンピュータプログラム製品として提供できる。１つのそのようなキャリヤがＣＤ−ＲＯＭディスクという形であり得る。それはしかしメモリスティックなどの他のデータキャリアによって実現可能であり得る。コンピュータプログラムコードはさらにサーバ上のピュアプログラムコードとして提供されて、移動局１６０にダウンロードされてもよい。
【０１６９】
移動局１６０は１つ以上の記憶装置を含むメモリ回路８０９をさらに含んでもよい。メモリ回路８０９は、移動局１６０において実行される際に、ここの方法を実行するアプリケーションに関連した処理回路８０８によって削除された又は計算された又は無効にされた又は判定された又は取得された又は送信された情報、またはそれらが組み合わされた情報などのデータを格納するために用いられるよう配置されている。メモリ回路８０９は処理回路８０８と通信することができる。処理回路８０８によって処理された任意の他の情報もまたメモリ回路８０９に記憶することができる。
【０１７０】
いくつかの実施形態において、優先度リストなどのネットワークノード１１０からの情報は受信ポート８１０を通して受信してもよい。いくつかの実施形態において、受信ポート８１０は例えば移動局１６０中の１つ以上のアンテナと接続されてもよい。他の実施形態においては、移動局１６０は、ワイヤレス無線ネットワーク１００の中の別の組織からの情報を、受信ポート８１０を通して受信してもよい。受信ポート８１０が処理回路８０８と通信していてもよいので、受信ポート８１０はそのとき受信した情報を処理回路８０８に送信してもよい。受信ポート８１０は、また、他の情報を受信するよう構成することもできる。
【０１７１】
ここの方法に関連した処理回路８０８によって削除され、計算され、判定され、取得されおよび送信された情報またはそのいずれかの情報は、前に述べたように、処理回路８０８及び受信回路８１０と通信することができるメモリ回路８０９に記憶してもよい。
【０１７２】
処理回路８０８は、処理回路８０８及びメモリ回路８０９と通信できる送信ポート８１１を通して例えばネットワークノード１１０へ、同時受信のための移動局１６０によりサポートされた最大帯域幅などの情報を送信または信号伝達するようにさらに構成されてもよい。
【０１７３】
当業者はまた、上述した削除回路８０１、受信回路８０２、計算回路８０３、無効化回路８０４、判定回路８０５、取得回路８０６、および送信回路８０７が、アナログ回路とデジタル回路の組み合わせに属していてもよいこと、及び、（例えばメモリに格納された）ソフトウェア及びファームウェア又はそのいずれかが処理回路８０８などの１つ以上のプロセッサによって実行される場合に、ソフトウェア及びファームウェア又はそのいずれかとともに構成された１つ以上のプロセッサが上述したように実行すること、またはその両方を理解するであろう。他のデジタルハードウェアと同様に、これらプロセッサの１つ以上は、１つの特定用途向け集積回路（ＡＳＩＣ）に含まれてもよいし、又は、いくつかのプロセッサと様々なデジタルハードウェアとが、個別にパッケージされたか或いはシステムオンチップ（ＳｏＣ）内へアセンブルされたいくつかの別々の部品に分散されてもよい。
【０１７４】
ここの実施形態は上述の実施形態に制限されない。様々な代替方法、変更、および均等部が用いられてもよい。そのために、上記の実施形態は、添付の特許請求の範囲により定義される範囲を制限することとしてとられるべきでない。
【０１７５】
様々な実施形態の上記の説明において、ここに使われた用語が、特定の実施形態だけを説明するためであり、制限していることを意図していないのは、理解されているはずである。異なる形で定義されない限り、ここに使われた技術用語と科学用語とを含むすべての用語は、ここではこれらの実施形態が属している技術分野の当業者により通常理解されるのと同じ意味を持っている。一般的に使われる辞書で定義された用語などの用語は、本明細書及び関連技術の文脈の中のそれらの意味と一致している意味を持つものとして解釈されるべきであり、かつ、ここに明確にそのように定義した、理想化されているか、或いは過度に形式的な意味で解釈されるべきでないこともまた理解されるであろう。
【０１７６】
要素が、他の要素に「接続された」、「結合された」、「応答する」またはそれらのバリエーションで称される場合、それは、他の要素に直接接続されたか、結合されたか、または応答してもよいし、介在要素が存在してもよい。対照的に、要素が、他の要素に「直接接続された」、「直接結合された」、「直接応答する」、またはそれらのバリエーションで称される場合、介在要素は全く存在しない。同様な数は最後まで同様な要素を指す。さらに、ここで使用されたような、「結合された」、「接続された」、「応答する」、またはそれらのバリエーションは、無線で結合されたか、接続されたか、また応答することを含むことができる。ここに使われるように、文脈がはっきりとそうでないことを示さない限り、単数形「ａ」、「ａｎ」、および「ｔｈｅ」は、複数形も含むことを意図している。公知の機能または構造は、簡潔さ又は明晰さ又はその両方のために詳細に記述されないことがある。用語は「及び／又は」は、関連付けられた羅列された１つ以上の用語のありとあらゆる組み合わせを含む。
【０１７７】
ここに使われるように、用語「含む（ｃｏｍｐｒｉｓｅ）」、「含んでいる（ｃｏｍｐｒｉｓｉｎｇ）」、「含む（ｃｏｍｐｒｉｓｅｓ）」、「含む（ｉｎｃｌｕｄｅ）」、「含んでいる（ｉｎｃｌｕｄｉｎｇ）」、「持つ（ｈａｖｅ）」、「持つ（ｈａｓ）」、「持っている（ｈａｖｉｎｇ）」、またはそれらのバリエーションは非制限的で、１つ以上の説明した特徴、整数、要素、ステップ、部品、または機能を含むが、１つ以上の他の特徴、整数、要素、ステップ、構成品、機能、またはそれらのグループの存在または追加を妨げない。さらに、ここに使われるように、ラテン慣用句「ｅｘｅｍｐｌｉ  ｇｒａｔｉａ」から派生している一般的な略語「例えば（ｅ．ｇ．）」は一般の例または以前に言及された事項の例を導入するか、指定するために使われてもよく、そのような事項の制限であることを意図していない。ラテン慣用句「ｉｄ  ｅｓｔ」から派生している一般的な略語「すなわち（ｉ．ｅ．）」は、より一般的な記述から特定の事項を指定するために使われてよい。
【０１７８】
実施形態の例は、コンピュータで実現された方法、装置すなわちシステムおよび／またはデバイス、および／またはコンピュータプログラム製品のブロック図および／またはフローチャート図に関連してここに説明される。ブロック図および／またはフローチャート図の中のブロックおよびブロック図および／またはフローチャート図の中のブロックの組み合わせは、１つ以上のコンピュータ回路によって実行されるコンピュータプログラム命令によって実現され得ることは理解される。これらのコンピュータプログラム命令は、汎用コンピュータ回路、専用コンピュータ回路、および／または他のプログラマブルデータ処理回路のプロセッサ回路に、マシンを作り出すために供給されてもよく、コンピュータおよび／または他のプログラマブルデータ処理装置のプロセッサを通して実行するその命令が、回路中のトランジスタ、メモリロケーション内の値および他のハードウェア要素を変形させて、ブロック図および／またはフローチャートのブロック内で特定された機能／アクションを実現し、それにより手段、すなわちブロック図および／またはフローチャートブロック内で特定された機能／アクションを実現するための機能性および／または構造を生成する。
【０１７９】
コンピュータまたは他のプログラマブルデータ処理装置に特定の仕方で動作するよう指示できるこれらのコンピュータプログラム命令はまた、有形のコンピュータ可読媒体に記憶されてもよく、コンピュータ可読媒体に記憶された命令は、ブロック図および／またはフローチャート図のブロックの中で指定された機能／アクションを実現する命令を含む製品を作り出す。
【０１８０】
有形の一時的でないコンピュータ可読媒体は、電子的、磁気的、光学的、電磁気的、または半導体のデータストレージシステム、装置、またはデバイスを含むことができる。コンピュータ可読媒体のより特定の例は以下を含むであろう。ポータブルコンピュータディスケット、ランダムアクセスメモリ（ＲＡＭ）回路、読取り専用メモリ（ＲＯＭ）回路、消去可能ＰＲＯＭ（ＥＰＲＯＭまたはフラッシュメモリ）回路、ポータブルコンパクトディスク読取り専用メモリ（ＣＤ−ＲＯＭ）、およびポータブルデジタルビデオディスク読取り専用メモリ（ＤＶＤ／ＢｌｕｅＲａｙ）。
【０１８１】
コンピュータプログラム命令はまた、コンピュータおよび／または他のプログラマブルデータ処理装置に、コンピュータまたは他のプログラマブルの装置上で実行される一連の動作ステップにコンピュータで実現されるプロセスを生成させるべくロードすることができ、その結果、コンピュータまたは他のプログラマブルの装置上で実行する命令は、ブロック図および／またはフローチャートのブロックの中で指定された機能／アクションを実現するためのステップを提供する。それにより、実施形態はハードウェアおよび／またはソフトウェア（集合的に「回路」、「モジュール」、またはそのバリエーションと称されることがある信号処理プロセッサなどのプロセッサ上で動くファームウェア、常駐ソフトウェア、マイクロコードなどを含む。）に具現化され得る。
【０１８２】
いくつかの代替実装において、ブロックの中で述べた機能／アクションが、フローチャートの中で述べた異常を生じ得ることはまた注目されるべきである。例えば、連続で示された２つのブロックが、関係している機能性／アクションに依存して、実際には実質的に同時に実行されたり、或いはときには逆順に実行されることがある。さらに、フローチャートおよび／またはブロック図の所与のブロックの機能性は、複数のブロックに分離されてもよく、かつ／または、フローチャートおよび／またはブロック図の２つ以上のブロックの機能性は少なくとも部分的に統合してもよい。最後に、他のブロックを、説明したブロックの間に追加／挿入してもよく、かつ／または、ブロック／動作は、範囲を逸脱せずに除外してもよい。さらに、通信の一次的な方向を示すために、いくつかの図は通信経路上の矢印を含むけれども、通信が描かれた矢印の逆方向に通信が生じ得ることは理解されるはずである。
【０１８３】
さまざまな実施形態が上記の説明と図面とに関連してここに開示されている。これらの実施形態のすべての組み合わせとサブコンビネーションを文字通り説明し、図示することが過度にくどく、わかりにくいであろうことは理解されるであろう。従って、すべての実施形態は、すべての方法および／または組み合わせで結合されてもよく、現在の明細書はそのようなコンビネーションまたはサブコンビネーションについての特許請求の範囲をサポートするはずである。
【０１８４】
略語
３ＧＰＰ  第３世代のパートナーシップ計画
ＧＥＲＡＮ  ＧＳＭ／ＥＤＧＥ無線アクセスネットワーク
ＤＬ  ダウンリンク
ＤＣＤＬ  デュアルキャリヤダウンリンク
Ｒｅｌ−Ｘ  リリースＸ
ＲＦ  無線周波数
ＢＷ  帯域幅
ＰＤＣＨ  パケットデータ物理チャネル
ＭＡＩＯ  モバイル割当てインデックスオフセット
ＭＳ  移動局
ＡＲＦＣＮ  絶対無線周波数チャネル番号
ＨＳＮ  ホッピングシーケンス番号
ＦＮ  フレーム番号
ＭＡ  モバイル割当て
ＰＡＣＣＨ  パケット関連制御チャネル
ＰＡＮ  ピギーバックＡｃｋ／Ｎａｃｋ
ＭＣＤＬ  マルチキャリヤＤＬ
【図１】
2015534739.tif 000003
【図２】
2015534739.tif 000004
【図３】
2015534739.tif 000005
【図４】
2015534739.tif 000006
【図５】
2015534739.tif 000007
【図６】
2015534739.tif 000008
【図７】
2015534739.tif 000009
【図８】
2015534739.tif 000010
【手続補正書】
【提出日】平成26年6月19日(2014.6.19)
【手続補正１】
【補正対象書類名】明細書
【補正対象項目名】００１７
【補正方法】変更
【補正の内容】
【００１７】
また、シングルキャリヤ割り当てに比べて、受信した１つの無線ブロックのバースト間の結合があるであろう。すなわち、基本の送信フォーマット（無線ブロック）が、しばしば異なるＡＲＦＣＮ上で４つのバーストで送信されるため、データブロック全体を受信可能とするために４つのバースト全てにおいて同じキャリヤを受信する必要がある。すなわち、断片的な無線ブロックの受信を避けるためである。断片的な無線ブロックが受信されるならば、無線ブロックによって搬送されたペイロードをデコードする可能性は、使われたチャネル符号化に依存する可能性がある。この依存性は、完全な無線ブロックのみが受信されるならば避けられ得る。
ＥＰ１７８６２１９は、ＥＤＧＥデータ通信サービスを提供する通信システムなどのデータ無線通信システムにおける通信リソースの割り当てのための装置及び関連する方法を開示する。マルチキャリヤ無線リソース制御ロジック要素は、通信サービスを実行するために通信リソースの要求を解析するアナライザと、データの通信を行うことに利用される通信リソースを割り当てるリソースアロケータとを含む。通信リソースは複数のモバイルアロケーションインデックスオフセットにわたって割り当てられ、特定の通信サービスを実行するために割り当てられる通信リソースの量を増大させる可能性を高める。
【手続補正２】
【補正対象書類名】特許請求の範囲
【補正対象項目名】全文
【補正方法】変更
【補正の内容】
【特許請求の範囲】
【請求項１】
無線リソースを管理するためのネットワークノード（１１０）における方法であって、前記ネットワークノード（１１０）はワイヤレス無線ネットワーク（１００）に含まれ、前記ワイヤレス無線ネットワーク（１００）において動作するように構成された移動局（１６０）は、同時受信のための最大帯域幅とキャリヤを含む第１のキャリヤリストとを有し、前記キャリヤは、前記移動局（１６０）に割り付けられた無線キャリヤであり、前記最大帯域幅は前記第１のキャリヤリスト中のすべてのキャリヤを包含することができず、
前記方法は、
前記第１のキャリヤリストから１つ以上のキャリヤを削除する工程（２０５）を含み、
前記１つ以上のキャリヤの削除は、前記削除する工程（２０５）の後の前記第１のキャリヤリスト中のすべての残存キャリヤを前記最大帯域幅が包含することができるまで、１キャリヤずつ実行され、削除される前記１つ以上のキャリヤは、優先度リストによれば最低優先度を有しており、
前記残存キャリヤは、前記移動局（１６０）のための受信キャリヤを含む
ことを特徴とする方法。
【請求項２】
前記移動局（１６０）の前記最大帯域幅が前記第１のキャリヤリスト中のすべてのキャリヤを包含することができないことを計算する工程（２０４）を更に有し、
前記第１のキャリヤリストから１つ以上のキャリヤを削除する前記工程（２０５）は更に、
前記第１のキャリヤリストから、前記優先度リストに応じて最低優先度を有する１つのキャリヤを削除する工程であって、前記１つのキャリヤを削除する工程により、前記最低優先度を有するキャリヤの削除後のすべての残存キャリヤを含む減縮済みキャリヤリストが得られる工程と、
前記移動局（１６０）の前記最大帯域幅が前記減縮済みキャリヤリスト中のすべての前記残存キャリヤを包含することができるかどうかを計算する工程とを含み、
前記移動局（１６０）の前記最大帯域幅が前記減縮済みキャリヤリスト中のすべての前記残存キャリヤを包含することができない場合、前記第１のキャリヤリストから１つ以上のキャリヤを削除する工程（２０５）はさらに、前記減縮済みキャリヤリストから最低優先度を有する１つ以上の更なるキャリヤを、前記１つ以上の更なるキャリヤの削除後のすべての残存キャリヤを前記最大帯域幅が包含することができることを前記ネットワークノード（１１０）が計算するまで、１つずつ削除する工程を更に有することを特徴とする請求項１に記載の方法。
【請求項３】
前記１つ以上のキャリヤを削除する工程（２０５）の後のすべての前記残存キャリヤを前記最大帯域幅が包含することができる場合、前記１つ以上のキャリヤを削除する工程（２０５）の後のすべての前記残存キャリヤが前記移動局のための受信キャリヤを含むと判定する判定工程を更に有することを特徴とする請求項１または２に記載の方法。
【請求項４】
前記ネットワークノード（１１０）が、基地局（１２０）、基地局コントローラ（１４０）およびコアネットワークノード（１５０）の１つであることを特徴とする請求項１乃至３のいずれか一項に記載の方法。
【請求項５】
前記移動局（１６０）へのリソース割り付けの処理において前記第１のキャリヤリスト中のキャリヤに優先度を付ける工程（２０２）であって、前記優先度を付ける工程は１つ以上の量に基づいており、前記優先度を付ける工程により前記優先度リストを含む決定が得られる工程を更に有することを特徴とする請求項４に記載の方法。
【請求項６】
前記移動局（１６０）から、同時受信のための前記移動局（１６０）がサポートする前記最大帯域幅を受信する工程（２０１）を更に有することを特徴とする請求項４又は５に記載の方法。
【請求項７】
前記優先度リストを前記移動局（１６０）に暗黙にまたは明示的に信号送信する工程（２０３）を更に有することを特徴とする請求項４乃至６のいずれか一項に記載の方法。
【請求項８】
前記１つ以上の量は、優先度を付けるキャリヤの明示的リスト、モバイルアロケーションインデックスオフセット（ＭＡＩＯ）、割り当て、絶対無線周波数チャネル番号（ＡＲＦＣＮ）、および割り付け順序のひとつを含むことを特徴とする、請求項５を引用する請求項６又は７に記載の方法。
【請求項９】
前記移動局（１６０）に割り付けられた前記キャリヤは、１つの無線ブロック期間内の複数のバーストに割り付けられ、前記複数のバーストは第１のバーストと１つ以上の追加のバーストとを含み、前記計算する工程、前記削除する工程、および前記判定する工程は、前記第１のバーストのために実行され、その後、前記１つ以上の追加のバーストのそれぞれのために実行され、前記計算する工程、前記削除する工程、および前記判定する工程が前記複数のバースト内のすべてのバーストのために実行された後に、続きが実行されることを特徴とする、請求項２及び３を引用する請求項４乃至８のいずれか一項に記載の方法。
【請求項１０】
無線リソースを管理するための移動局（１６０）における方法であって、前記移動局（１６０）はワイヤレス無線ネットワーク（１００）内で動作するよう構成され、前記移動局（１６０）は、同時受信のための最大帯域幅とキャリヤを含む第１のキャリヤリストとを有し、前記キャリヤは、前記移動局（１６０）に割り当てられた無線キャリヤであり、前記最大帯域幅は前記第１のキャリヤリスト中のすべてのキャリヤを包含することができず、
前記方法は、
前記第１のキャリヤリストから１つ以上のキャリヤを削除する工程（５０４）であって、前記１つ以上のキャリヤの削除は、前記最大帯域幅が、前記削除する工程（５０４）の後の前記第１のキャリヤリスト中のすべての残存キャリヤを包含することができるまで、１キャリヤずつ実行され、削除される前記１つ以上のキャリヤは、優先度リストによれば最低優先度を有しており、前記残存キャリヤは、前記移動局（１６０）のための受信キャリヤを含むところの工程と、
判定された前記キャリヤ上での無線受信を続行する工程（５０７）と
を含むことを特徴とする方法。
【請求項１１】
前記移動局（１６０）の前記最大帯域幅が前記第１のキャリヤリスト中のすべてのキャリヤを包含することができないことを計算する工程（５０３）を更に有し、
前記第１のキャリヤリストから１つ以上のキャリヤを削除する前記工程（５０４）は更に、
前記第１のキャリヤリストから、前記優先度リストに応じて最低優先度を有する１つのキャリヤを削除する工程であって、前記１つのキャリヤを削除する工程により、前記最低優先度を有するキャリヤの削除後のすべての残存キャリヤを含む減縮済みキャリヤリストが得られる工程と、
前記移動局（１６０）の前記最大帯域幅が前記減縮済みキャリヤリスト中のすべての前記残存キャリヤを包含することができるかどうかを計算する工程とを含み、
前記移動局（１６０）の前記最大帯域幅が前記減縮済みキャリヤリスト中のすべての前記残存キャリヤを包含することができない場合、前記第１のキャリヤリストから１つ以上のキャリヤを削除する工程（５０４）はさらに、前記減縮済みキャリヤリストから最低優先度を有する１つ以上の更なるキャリヤを、前記１つ以上の更なるキャリヤの削除後のすべての残存キャリヤを前記最大帯域幅が包含することができることを前記ネットワークノード（１１０）が計算するまで、１つずつ削除する工程を更に有することを特徴とする請求項１０に記載の方法。
【請求項１２】
前記削除されたキャリヤに関連付けられた１つ以上のタイムスロット上での無線受信を無効にする工程（５０５）を更に有することを特徴とする請求項１０または１１に記載の方法。
【請求項１３】
前記１つ以上のキャリヤを削除する工程（５０４）の後のすべての前記残存キャリヤを前記最大帯域幅が包含することができる場合、前記１つ以上のキャリヤを削除する工程（５０４）の後のすべての前記残存キャリヤが前記移動局のための受信キャリヤを含むと判定する工程（５０６）を更に有することを特徴とする請求項１０乃至１２のいずれか一項に記載の方法。
【請求項１４】
前記ワイヤレス無線ネットワーク（１００）に含まれたネットワークノード（１１０）からキャリヤの優先度リストを暗黙に又は明示的に取得する工程（５０２）を更に有し、
前記ネットワークノード（１１０）は、基地局（１２０）、基地局コントローラ（１４０）、およびコアネットワークノード（１５０）のひとつであり、前記キャリヤリスト中のキャリヤは、前記移動局（１６０）へのリソース割り付けの処理において前記ネットワークノード（１１０）により優先度を付けられ、前記優先度を付けることは、優先度付けするキャリヤを持つ明示的リスト、モバイルアロケーションインデックスオフセット（ＭＡＩＯ）、割り当て、絶対無線周波数チャネル番号（ＡＲＦＣＮ）およびキャリヤ割り付け順序のうちのひとつを含む１つ以上の量に基づいていることを特徴とする請求項１０乃至１３のいずれか一項に記載の方法。
【請求項１５】
同時受信のための前記移動局（１６０）によりサポートされた前記最大帯域幅を前記ネットワークノード（１１０）に送信する工程（５０１）を更に有することを特徴とする請求項１０乃至１４のいずれか一項に記載の方法。
【請求項１６】
前記移動局（１６０）に割り付けられた前記キャリヤは、１つの無線ブロック期間内の複数のバーストに割り付けられ、前記複数のバーストは第１のバーストと１つ以上の追加のバーストとを含み、前記計算する工程、前記削除する工程、および前記判定する工程は、前記第１のバーストのために実行され、その後、前記１つ以上の追加のバーストのそれぞれのために実行され、前記計算する工程、前記削除する工程、および前記判定する工程が前記複数のバースト内のすべてのバーストのために実行された後に、続きが実行されることを特徴とする請求項１３乃至１５のいずれか一項に記載の方法。
【請求項１７】
無線リソースを管理するためのネットワークノード（１１０）であって、前記ネットワークノード（１１０）はワイヤレス無線ネットワーク（１００）に含まれるよう構成され、前記ワイヤレス無線ネットワーク（１００）において動作するように構成された移動局（１６０）は、同時受信のための最大帯域幅とキャリヤを含む第１のキャリヤリストとを有し、前記キャリヤは、前記移動局（１６０）に割り付けられた無線キャリヤであり、前記最大帯域幅は前記第１のキャリヤリスト中のすべてのキャリヤを包含することができず、
前記ネットワークノード（１１０）は、
前記第１のキャリヤリストから１つ以上のキャリヤを削除するよう構成された削除回路  （７０１）を含み、
前記１つ以上のキャリヤを削除することは、前記削除の後の前記第１のすべての残存キャリヤを前記最大帯域幅が包含することができるまで、１キャリヤずつ実行され、削除される前記１つ以上のキャリヤは、優先度リストによれば最低優先度を有しており、
前記残存キャリヤは、前記移動局（１６０）のための受信キャリヤを含む
ことを特徴とするネットワークノード（１１０）。
【請求項１８】
前記移動局（１６０）の前記最大帯域幅が前記第１のキャリヤリスト中のすべてのキャリヤを包含することができないことを計算するよう構成された計算回路（７０３）を更に有し、
前記削除回路（７０１）における前記第１のキャリヤリストから１つ以上のキャリヤを削除することは、
前記第１のキャリヤリストから、前記優先度リストによれば最低優先度を有する１つのキャリヤを削除することであって、前記１つのキャリヤを削除することは、前記最低優先度を有するキャリヤの削除後のすべての残存キャリヤを含む減縮済みキャリヤリストが得られるよう構成されたことと、
前記移動局（１６０）の前記最大帯域幅が前記減縮済みキャリヤリスト中のすべての前記残存キャリヤを包含することができるかどうかを計算することとを更に含み、
前記移動局（１６０）の前記最大帯域幅が前記減縮済みキャリヤリスト中のすべての前記残存キャリヤを包含することができない場合、前記第１のキャリヤリストから１つ以上のキャリヤを削除することはさらに、前記減縮済みキャリヤリストから最低優先度を有する１つ以上の更なるキャリヤを、前記１つ以上の更なるキャリヤの削除後のすべての残存キャリヤを前記最大帯域幅が包含することができることを前記ネットワークノード（１１０）が計算するまで、１つずつ削除することを更に含むことを特徴とする請求項１７に記載のネットワークノード（１１０）。
【請求項１９】
前記１つ以上のキャリヤの削除の後のすべての前記残存キャリヤを前記最大帯域幅が包含することができる場合、前記１つ以上のキャリヤの削除の後のすべての前記残存キャリヤが前記移動局のための受信キャリヤを含むと判定するよう構成された判定回路（７０４）を更に有することを特徴とする請求項１７または１８に記載のネットワークノード（１１０）。
【請求項２０】
前記ネットワークノード（１１０）が、基地局（１２０）、基地局コントローラ（１４０）およびコアネットワークノード（１５０）の１つであることを特徴とする請求項１７乃至１９のいずれか一項に記載のネットワークノード（１１０）。
【請求項２１】
前記移動局（１６０）へのリソース割り付けの処理において前記第１のキャリヤリスト中のキャリヤに優先度を付けるよう構成された優先度付け回路（７０２）であって、前記優先度を付けることは１つ以上の量に基づいており、前記優先度を付けることにより前記優先度リストを含む決定が得られる回路を更に有することを特徴とする請求項２０に記載のネットワークノード（１１０）。
【請求項２２】
前記移動局（１６０）から、同時受信のための前記移動局（１６０）がサポートする前記最大帯域幅を受信するよう構成された受信回路（７０５）を更に有することを特徴とする請求項２０又は２１に記載のネットワークノード（１１０）。
【請求項２３】
前記優先度リストを前記移動局（１６０）に暗黙にまたは明示的に信号伝達するよう構成された信号伝達回路（７０６）を更に有することを特徴とする請求項２０乃至２２のいずれか一項に記載のネットワークノード（１１０）。
【請求項２４】
前記１つ以上の量は、優先度を付けるキャリヤの明示的リスト、モバイルアロケーションインデックスオフセット（ＭＡＩＯ）、割り当て、絶対無線周波数チャネル番号（ＡＲＦＣＮ）、および割り付け順序のひとつを含むことを特徴とする、請求項２１を引用する請求項２２又は２３に記載のネットワークノード（１１０）。
【請求項２５】
前記移動局（１６０）に割り付けられた前記キャリヤは、１つの無線ブロック期間内の複数のバーストに割り付けられ、前記複数のバーストは第１のバーストと１つ以上の追加のバーストとを含み、前記計算すること、前記削除すること、および前記判定することは、前記第１のバーストのために実行され、その後、前記１つ以上の追加のバーストのそれぞれのために実行され、前記計算すること、前記削除すること、および前記判定することが前記複数のバースト内のすべてのバーストのために実行された後に、続きが実行されることを特徴とする、請求項１８及び１９を引用する請求項２０乃至２４のいずれか一項に記載のネットワークノード（１１０）。
【請求項２６】
無線リソースを管理するための移動局（１６０）であって、前記移動局（１６０）はワイヤレス無線ネットワーク（１００）内で動作するよう構成され、前記移動局（１６０）は、同時受信のための最大帯域幅とキャリヤを含む第１のキャリヤリストとを有し、前記キャリヤは、前記移動局（１６０）に割り当てられた無線キャリヤであり、前記最大帯域幅は前記第１のキャリヤリスト中のすべてのキャリヤを包含することができず、
前記移動局（１６０）は、
前記第１のキャリヤリストから１つ以上のキャリヤを削除するよう構成された削除回路（８０１）であって、前記１つ以上のキャリヤを削除することは、前記削除の後の前記第１のキャリヤリスト中のすべての残存キャリヤを前記最大帯域幅が包含することができるまで、１キャリヤずつ実行され、削除される前記１つ以上のキャリヤは、優先度リストによれば最低優先度を有しており、前記残存キャリヤは、前記移動局（１６０）のための受信キャリヤを含むところの回路と、
判定された前記キャリヤ上での無線受信を続行するよう構成された受信回路（８０２）と
を含むことを特徴とする移動局（１６０）。
【請求項２７】
前記移動局（１６０）の前記最大帯域幅が前記第１のキャリヤリスト中のすべてのキャリヤを包含することができないことを計算するよう構成された計算回路（８０３）を更に有し、
前記削除回路（８０１）において、前記第１のキャリヤリストから１つ以上のキャリヤを削除することは更に、
前記第１のキャリヤリストから、前記優先度リストに応じて最低優先度を有する１つのキャリヤを削除することであって、前記１つのキャリヤを削除することにより、前記最低優先度を有するキャリヤの削除後のすべての残存キャリヤを含む減縮済みキャリヤリストが得られることと、
前記移動局（１６０）の前記最大帯域幅が前記減縮済みキャリヤリスト中のすべての前記残存キャリヤを包含することができるかどうかを計算することとを含み、
前記移動局（１６０）の前記最大帯域幅が前記減縮済みキャリヤリスト中のすべての前記残存キャリヤを包含することができない場合、前記第１のキャリヤリストから１つ以上のキャリヤを削除することはさらに、前記減縮済みキャリヤリストから最低優先度を有する１つ以上の更なるキャリヤを、前記１つ以上の更なるキャリヤの削除後のすべての残存キャリヤを前記最大帯域幅が包含することができることを前記ネットワークノード（１１０）が計算するまで、１つずつ削除することを更に含むことを特徴とする請求項２６に記載の移動局（１６０）。
【請求項２８】
前記削除されたキャリヤに関連付けられた１つ以上のタイムスロット上での無線受信を無効にする無効化回路（８０４）を更に有することを特徴とする請求項２６または２７に記載の移動局（１６０）。
【請求項２９】
前記１つ以上のキャリヤの削除の後のすべての前記残存キャリヤを前記最大帯域幅が包含することができる場合、前記１つ以上のキャリヤの削除の後のすべての前記残存キャリヤが前記移動局のための受信キャリヤを含むと判定するよう構成された判定回路（８０５）を更に有することを特徴とする請求項２６乃至２８のいずれか一項に記載の移動局（１６０）。
【請求項３０】
前記ワイヤレス無線ネットワーク（１００）に含まれたネットワークノード（１１０）からキャリヤの優先度リストを暗黙に又は明示的に取得するよう構成された取得回路（８０６）を更に有し、
前記ネットワークノード（１１０）は、基地局（１２０）、基地局コントローラ（１４０）、およびコアネットワークノード（１５０）のひとつであり、前記キャリヤリスト中のキャリヤは、前記移動局（１６０）へのリソース割り付けの処理において前記ネットワークノード（１１０）により優先度を付けられ、前記優先度を付けることは、優先度付けするキャリヤを持つ明示的リスト、モバイルアロケーションインデックスオフセット（ＭＡＩＯ）、割り当て、絶対無線周波数チャネル番号（ＡＲＦＣＮ）およびキャリヤ割り付け順序のうちのひとつを含む１つ以上の量に基づいていることを特徴とする請求項２６乃至２９のいずれか一項に記載の移動局（１６０）。
【請求項３１】
同時受信のための前記移動局（１６０）によりサポートされた前記最大帯域幅を前記ネットワークノード（１１０）に送信するよう構成された送信回路（８０７）を更に有することを特徴とする請求項２６乃至３０のいずれか一項に記載の移動局（１６０）。
【請求項３２】
前記移動局（１６０）に割り付けられた前記キャリヤは、１つの無線ブロック期間内の複数のバーストに割り付けられ、前記複数のバーストは第１のバーストと１つ以上の追加のバーストとを含み、前記計算すること、前記削除すること、および前記判定することは、前記第１のバーストのために実行され、その後、前記１つ以上の追加のバーストのそれぞれのために実行され、前記計算すること、前記削除すること、および前記判定することが前記複数のバースト内のすべてのバーストのために実行された後に、続きが実行されることを特徴とする請求項２９乃至３１のいずれか一項に記載の移動局（１６０）。
【国際調査報告】
2015534739.tif 000011
2015534739.tif 000012
2015534739.tif 000013